(57)【要約】【課題】本発明の実施形態は、通信分野に関し、制御プレーンノードを判定する方法、装置、および無線通信システムを提供し、ＵＥに対して、ＵＥが属するネットワークスライスに対応する制御プレーンノードを選択し、それによって制御プレーンノードがＵＥに対してカスタマイズされたサービスを確実に提供できるようにする。【解決手段】方法は、ＵＥにより指示情報を取得するステップであって、指示情報は、ＵＥが属するネットワークスライスを示すために使用される、ステップと、ＵＥにより、アクセス層要求メッセージを無線アクセスネットワークノードに送信するステップであって、アクセス層要求メッセージは指示情報を含み、アクセス層要求メッセージは、指示情報に基づいて、ＵＥに対するネットワークスライスに対応する制御プレーンノードを判定するように無線アクセスネットワークノードをトリガするために使用される、ステップとを含む。【選択図】図３
2020102882.tif 000002
【特許請求の範囲】
【請求項１】
制御プレーンノードを判定する方法であって、
ユーザ機器ＵＥにより指示情報を取得するステップであって、前記指示情報は、前記ＵＥが属するネットワークスライスを示すために使用される、ステップと、
前記ＵＥにより、アクセス層要求メッセージを無線アクセスネットワークノードに送信するステップであって、前記アクセス層要求メッセージは前記指示情報を含み、前記アクセス層要求メッセージは、前記無線アクセスネットワークノードをトリガして、前記指示情報に基づいて前記ＵＥに対する前記ネットワークスライスに対応する制御プレーンノードを判定するために使用される、ステップと
を含む方法。
【請求項２】
ＵＥにより指示情報を取得する前記ステップは、
前記ＵＥにより、事前設定された前記指示情報を取得するステップを含む、請求項１に記載の方法。
【請求項３】
ＵＥにより指示情報を取得する前記ステップは、
前記ＵＥにより、前記制御プレーンノードによって送信された前記指示情報を受信するステップを含む、請求項１に記載の方法。
【請求項４】
ＵＥにより指示情報を取得する前記ステップは、
前記ＵＥにより、前記制御プレーンノードによって送信された一時アイデンティティを受信するステップであって、前記一時アイデンティティは前記指示情報を含む、ステップと、
前記ＵＥにより、前記指示情報を前記一時アイデンティティに基づいて取得するステップと
を含む、請求項１に記載の方法。
【請求項５】
前記一時アイデンティティは、グローバル一意一時アイデンティティＧＵＴＩであり、前記ＧＵＴＩは前記指示情報を含むか、あるいは前記ＧＵＴＩはグローバル一意モビリティ管理エンティティ識別子ＧＵＭＭＥＩを含み、前記ＧＵＭＭＥＩは前記指示情報を含む、請求項４に記載の方法。
【請求項６】
前記ＧＵＴＩは、ＭＭＥ−一時移動体加入者アイデンティティＭ−ＴＭＳＩフィールドを含み、前記Ｍ−ＴＭＳＩフィールドは前記指示情報を示すために使用され、
前記ＧＵＭＭＥＩは、地上波公共移動通信ネットワークＰＬＭＮ識別子フィールドを含み、前記ＰＬＭＮ識別子フィールドは前記指示情報を示すために使用され、
前記ＧＵＭＭＥＩは、モビリティ管理エンティティＭＭＥグループ識別子フィールドを含み、前記ＭＭＥグループ識別子フィールドは前記指示情報を示すために使用され、または
前記ＧＵＴＩまたは前記ＧＵＭＭＥＩはネットワークスライス識別子フィールドを含み、前記ネットワークスライス識別子フィールドは前記指示情報を示すために使用される、請求項５に記載の方法。
【請求項７】
前記指示情報は、前記ネットワークスライスの識別子または前記ネットワークスライスの識別子情報であり、前記ネットワークスライスの前記識別子情報は前記ネットワークスライスの前記識別子を示すために使用される、請求項１乃至６のいずれか一項に記載の方法。
【請求項８】
前記指示情報は、前記ネットワークスライスの前記識別子であり、
ＵＥにより指示情報を取得する前記ステップは、
前記ＵＥにより前記ネットワークスライスの前記識別子情報を取得するステップと、
前記ＵＥにより前記ネットワークスライスの前記識別子情報と事前設定されたマッピング関係に基づいて、前記ネットワークスライスの前記識別子であり、かつ前記ネットワークスライスの前記識別子情報に対応する前記識別子を取得するステップであって、前記マッピング関係は前記ネットワークスライスの前記識別子情報と前記ネットワークスライスの前記識別子との間のマッピング関係を含む、ステップと
を含む、請求項７に記載の方法。
【請求項９】
制御プレーンノードを判定する方法であって、
無線アクセスネットワークノードにより、ユーザ機器ＵＥによって送信されたアクセス層要求メッセージを受信するステップであって、前記アクセス層要求メッセージは指示情報を含み、前記指示情報は前記ＵＥが属するネットワークスライスを示すために使用される、ステップと、
前記無線アクセスネットワークノードにより、前記指示情報に基づいて前記ＵＥに対する前記ネットワークスライスに対応する制御プレーンノードを判定するステップと
を含む方法。
【請求項１０】
前記アクセス層要求メッセージは、グローバル一意モビリティ管理エンティティ識別子ＧＵＭＭＥＩを含み、前記ＧＵＭＭＥＩは前記指示情報を含む、請求項９に記載の方法。
【請求項１１】
前記ＧＵＭＭＥＩは、地上波公共移動通信ネットワークＰＬＭＮ識別子フィールドを含み、前記ＰＬＭＮ識別子フィールドは前記指示情報を示すために使用され、
前記ＧＵＭＭＥＩは、モビリティ管理エンティティＭＭＥグループ識別子フィールドを含み、前記ＭＭＥグループ識別子フィールドは前記指示情報を示すために使用され、または
前記アクセス層要求メッセージまたは前記ＧＵＭＭＥＩはネットワークスライス識別子フィールドを含み、前記ネットワークスライス識別子フィールドは前記指示情報を示すために使用される、請求項１０に記載の方法。
【請求項１２】
前記指示情報は、前記ネットワークスライスの識別子または前記ネットワークスライスの識別子情報であり、前記ネットワークスライスの前記識別子情報は前記ネットワークスライスの前記識別子を示すために使用される、請求項９乃至１１のいずれか一項に記載の方法。
【請求項１３】
前記無線アクセスネットワークノードにより、前記指示情報に基づいて前記ＵＥに対し前記ネットワークスライスに対応する制御プレーンノードを判定する前記ステップは、
前記無線アクセスネットワークノードにより、前記指示情報に基づいて前記ネットワークスライスの前記識別子を取得するステップと、
前記無線アクセスネットワークノードにより、前記ネットワークスライスの前記識別子および事前設定された第１のマッピング関係に基づいて、前記制御プレーンノードの識別子であり、前記ネットワークスライスの前記識別子に対応する識別子を取得するステップであって、前記第１のマッピング関係は、前記ネットワークスライスの前記識別子と前記制御プレーンノードの前記識別子との間のマッピング関係を含む、ステップと、
前記無線アクセスネットワークノードにより、前記制御プレーンノードの前記識別子に基づいて、前記ＵＥに対する前記ネットワークスライスに対応する前記制御プレーンノードを判定するステップと
を含む、請求項１２に記載の方法。
【請求項１４】
前記指示情報は、前記ネットワークスライスの前記識別子情報であり、
前記無線アクセスネットワークノードにより、前記指示情報に基づいて前記ネットワークスライスの前記識別子を取得する前記ステップは、
前記無線アクセスネットワークノードにより、前記ネットワークスライスの前記識別子情報および事前設定された第２のマッピング関係に基づいて、前記ネットワークスライスの前記識別子であり、前記ネットワークスライスの前記識別子情報に対応する前記識別子を取得するステップであって、前記第２のマッピング関係は、前記ネットワークスライスの前記識別子情報と前記ネットワークスライスの前記識別子との間のマッピング関係を含む、ステップを含む、請求項１３に記載の方法。
【請求項１５】
制御プレーンノードを判定する方法であって、
前記制御プレーンノードにより、ユーザ機器ＵＥによって送信された非アクセス層要求メッセージを受信するステップと、
前記制御プレーンノードにより、前記非アクセス層要求メッセージに基づいて前記ＵＥの使用タイプを取得するステップと、
前記制御プレーンノードにより、前記ＵＥの前記使用タイプおよび事前設定されたマッピング関係に基づいて、前記ＵＥの前記使用タイプに対応する指示情報を取得するステップであって、前記指示情報は、前記ＵＥが属するネットワークスライスを示すために使用され、前記マッピング関係は前記ＵＥの前記使用タイプと前記指示情報との間のマッピング関係を含む、ステップと、
前記制御プレーンノードにより、前記指示情報を前記ＵＥに送信するステップと
を含む方法。
【請求項１６】
前記制御プレーンノードにより前記指示情報を前記ＵＥに送信する前記ステップは、
前記制御プレーンノードにより、一時アイデンティティを前記ＵＥに送信するステップであって、前記一時アイデンティティは前記指示情報を含む、ステップを含む、請求項１５に記載の方法。
【請求項１７】
前記一時アイデンティティは、グローバル一意一時アイデンティティＧＵＴＩであり、前記ＧＵＴＩは前記指示情報を含むか、あるいは前記ＧＵＴＩはグローバル一意モビリティ管理エンティティ識別子ＧＵＭＭＥＩを含み、前記ＧＵＭＭＥＩは前記指示情報を含む、請求項１６に記載の方法。
【請求項１８】
前記ＧＵＴＩは、ＭＭＥ−一時移動体加入者アイデンティティＭ−ＴＭＳＩフィールドを含み、前記Ｍ−ＴＭＳＩフィールドは前記指示情報を示すために使用され、
前記ＧＵＭＭＥＩは、地上波公共移動通信ネットワークＰＬＭＮ識別子フィールドを含み、前記ＰＬＭＮ識別子フィールドは前記指示情報を示すために使用され、
前記ＧＵＭＭＥＩは、モビリティ管理エンティティＭＭＥグループ識別子フィールドを含み、前記ＭＭＥグループ識別子フィールドは前記指示情報を示すために使用され、または
前記ＧＵＴＩまたは前記ＧＵＭＭＥＩはネットワークスライス識別子フィールドを含み、前記ネットワークスライス識別子フィールドは前記指示情報を示すために使用される、請求項１７に記載の方法。
【請求項１９】
前記指示情報は、前記ネットワークスライスの識別子または前記ネットワークスライスの識別子情報であり、前記ネットワークスライスの前記識別子情報は、前記ネットワークスライスの前記識別子を示すために使用される、請求項１５乃至１８のいずれか一項に記載の方法。
【請求項２０】
指示情報を取得するように構成された取得部であって、前記指示情報は、前記ＵＥが属するネットワークスライスを示すために使用される、取得部と、
アクセス層要求メッセージを無線アクセスネットワークノードに送信するように構成された送信部であって、前記アクセス層要求メッセージは前記取得部によって取得される前記指示情報を含み、前記アクセス層要求メッセージは、前記指示情報に基づいて前記ＵＥに対する前記ネットワークスライスに対応する制御プレーンノードを判定するように前記無線アクセスネットワークノードをトリガするために使用される、送信部と
を備えるユーザ機器ＵＥ。
【請求項２１】
前記取得部は具体的には、事前設定された前記指示情報を取得するように構成され、
前記取得部は具体的には、前記制御プレーンノードによって送信された前記指示情報を受信するように構成され、または
前記取得部は具体的には、前記制御プレーンノードによって送信された一時アイデンティティを受信し、前記一時アイデンティティに基づいて前記指示情報を取得するように構成され、前記一時アイデンティティは前記指示情報を含む、請求項２０に記載のＵＥ。
【請求項２２】
前記一時アイデンティティは、グローバル一意一時アイデンティティＧＵＴＩであり、前記ＧＵＴＩは前記指示情報を含むか、あるいは前記ＧＵＴＩはグローバル一意モビリティ管理エンティティ識別子ＧＵＭＭＥＩを含み、前記ＧＵＭＭＥＩは前記指示情報を含む、請求項２１に記載のＵＥ。
【請求項２３】
前記ＧＵＴＩは、ＭＭＥ−一時移動体加入者アイデンティティＭ−ＴＭＳＩフィールドを含み、前記Ｍ−ＴＭＳＩフィールドは前記指示情報を示すために使用され、
前記ＧＵＭＭＥＩは、地上波公共移動通信ネットワークＰＬＭＮ識別子フィールドを含み、前記ＰＬＭＮ識別子フィールドは前記指示情報を示すために使用され、
前記ＧＵＭＭＥＩは、モビリティ管理エンティティＭＭＥグループ識別子フィールドを含み、前記ＭＭＥグループ識別子フィールドは前記指示情報を示すために使用され、または
前記ＧＵＴＩまたは前記ＧＵＭＭＥＩはネットワークスライス識別子フィールドを含み、前記ネットワークスライス識別子フィールドは前記指示情報を示すために使用される、請求項２２に記載のＵＥ。
【請求項２４】
前記指示情報は、前記ネットワークスライスの識別子または前記ネットワークスライスの識別子情報であり、前記ネットワークスライスの前記識別子情報は前記ネットワークスライスの前記識別子を示すために使用される、請求項２０乃至２３のいずれか一項に記載のＵＥ。
【請求項２５】
前記指示情報は、前記ネットワークスライスの前記識別子であり、
前記取得部は具体的には、前記ネットワークスライスの前記識別子情報を取得し、前記ネットワークスライスの前記識別子情報と事前設定されたマッピング関係に基づいて、前記ネットワークスライスの前記識別子であり、かつ前記ネットワークスライスの前記識別子情報に対応する前記識別子を取得するように構成され、前記マッピング関係は前記ネットワークスライスの前記識別子情報と前記ネットワークスライスの前記識別子との間のマッピング関係を含む、請求項２４に記載のＵＥ。
【請求項２６】
ユーザ機器ＵＥによって送信されたアクセス層要求メッセージを受信するように構成された受信部であって、前記アクセス層要求メッセージは指示情報を含み、前記指示情報は、前記ＵＥが属するネットワークスライスを示すために使用される、受信部と、
前記受信部によって受信された前記指示情報に基づいて前記ＵＥに対する前記ネットワークスライスに対応する制御プレーンノードを判定するように構成された判定部と
を備える無線アクセスネットワークノード。
【請求項２７】
前記アクセス層要求メッセージは、グローバル一意モビリティ管理エンティティ識別子ＧＵＭＭＥＩを含み、前記ＧＵＭＭＥＩは前記指示情報を含む、請求項２６に記載の無線アクセスネットワークノード。
【請求項２８】
前記ＧＵＭＭＥＩは、地上波公共移動通信ネットワークＰＬＭＮ識別子フィールドを含み、前記ＰＬＭＮ識別子フィールドは前記指示情報を示すために使用され、
前記ＧＵＭＭＥＩは、モビリティ管理エンティティＭＭＥグループ識別子フィールドを含み、前記ＭＭＥグループ識別子フィールドは前記指示情報を示すために使用され、または
前記アクセス層要求メッセージまたは前記ＧＵＭＭＥＩはネットワークスライス識別子フィールドを含み、前記ネットワークスライス識別子フィールドは前記指示情報を示すために使用される、請求項２７に記載の無線アクセスネットワークノード。
【請求項２９】
前記指示情報は、前記ネットワークスライスの識別子または前記ネットワークスライスの識別子情報であり、前記ネットワークスライスの前記識別子情報は前記ネットワークスライスの前記識別子を示すために使用される、請求項２６乃至２８のいずれか一項に記載の無線アクセスネットワークノード。
【請求項３０】
前記判定部は具体的には、前記指示情報に基づいて前記ネットワークスライスの前記識別子を取得し、前記ネットワークスライスの前記識別子および事前設定された第１のマッピング関係に基づいて、前記制御プレーンノードの識別子であり、前記ネットワークスライスの前記識別子に対応する識別子を取得し、前記制御プレーンノードの前記識別子に基づいて、前記ＵＥに対する前記ネットワークスライスに対応する前記制御プレーンノードを判定するように構成され、前記第１のマッピング関係は、前記ネットワークスライスの前記識別子と前記制御プレーンノードの前記識別子との間のマッピング関係を含む、請求項２９に記載の無線アクセスネットワークノード。
【請求項３１】
前記指示情報は、前記ネットワークスライスの前記識別子情報であり、
前記判定部は具体的には、前記ネットワークスライスの前記識別子情報および事前設定された第２のマッピング関係に基づいて、前記ネットワークスライスの前記識別子であり、前記ネットワークスライスの前記識別子情報に対応する前記識別子を取得するように構成され、前記第２のマッピング関係は、前記ネットワークスライスの前記識別子情報と前記ネットワークスライスの前記識別子との間のマッピング関係を含む、請求項３０に記載の無線アクセスネットワークノード。
【請求項３２】
ユーザ機器ＵＥによって送信された非アクセス層要求メッセージを受信するように構成された受信部と、
前記受信部によって受信された前記非アクセス層要求メッセージに基づいて前記ＵＥの使用タイプを取得し、前記ＵＥの前記使用タイプおよび事前設定されたマッピング関係に基づいて、前記ＵＥの前記使用タイプに対応する指示情報を取得するように構成された取得部であって、前記マッピング関係は前記ＵＥの前記使用タイプと前記指示情報との間のマッピング関係を含み、前記指示情報は、前記ＵＥが属するネットワークスライスを示すために使用される、取得部と、
前記取得部によって取得された前記指示情報を前記ＵＥに送信するように構成された送信部と
を備える制御プレーンノード。
【請求項３３】
前記送信部は具体的には、一時アイデンティティを前記ＵＥに送信するように構成され、前記一時アイデンティティは前記指示情報を含む、請求項３２に記載の制御プレーンノード。
【請求項３４】
前記一時アイデンティティは、グローバル一意一時アイデンティティＧＵＴＩであり、前記ＧＵＴＩは前記指示情報を含むか、あるいは前記ＧＵＴＩはグローバル一意モビリティ管理エンティティ識別子ＧＵＭＭＥＩを含み、前記ＧＵＭＭＥＩは前記指示情報を含む、請求項３３に記載の制御プレーンノード。
【請求項３５】
前記ＧＵＴＩは、ＭＭＥ−一時移動体加入者アイデンティティＭ−ＴＭＳＩフィールドを含み、前記Ｍ−ＴＭＳＩフィールドは前記指示情報を示すために使用され、
前記ＧＵＭＭＥＩは、地上波公共移動通信ネットワークＰＬＭＮ識別子フィールドを含み、前記ＰＬＭＮ識別子フィールドは前記指示情報を示すために使用され、
前記ＧＵＭＭＥＩは、モビリティ管理エンティティＭＭＥグループ識別子フィールドを含み、前記ＭＭＥグループ識別子フィールドは前記指示情報を示すために使用され、または
前記ＧＵＴＩまたは前記ＧＵＭＭＥＩはネットワークスライス識別子フィールドを含み、前記ネットワークスライス識別子フィールドは前記指示情報を示すために使用される、請求項３４に記載の制御プレーンノード。
【請求項３６】
前記指示情報は、前記ネットワークスライスの識別子または前記ネットワークスライスの識別子情報であり、前記ネットワークスライスの前記識別子情報は、前記ネットワークスライスの前記識別子を示すために使用される、請求項３２乃至３５のいずれか一項に記載の制御プレーンノード。
【請求項３７】
プロセッサと、トランシーバと、メモリと、システムバスとを含むユーザ機器ＵＥであって、
前記メモリは、コンピュータ実行可能命令を格納するように構成され、前記プロセッサ、前記トランシーバ、および前記メモリは、前記システムバスを用いて互いに接続され、かつ互いに通信するように構成され、前記ＵＥが動作するとき、前記プロセッサは、前記メモリに格納された前記コンピュータ実行可能命令を実行して、前記ＵＥが請求項１乃至８のいずれか一項に記載の制御プレーンノードを判定する方法を実行する、ＵＥ。
【請求項３８】
プロセッサと、トランシーバと、メモリと、システムバスとを含む無線アクセスネットワークノードであって、
前記メモリは、コンピュータ実行可能命令を格納するように構成され、前記プロセッサ、前記トランシーバ、および前記メモリは、前記システムバスを用いて互いに接続され、かつ互いに通信するように構成され、前記無線アクセスネットワークノードが動作するとき、前記プロセッサは、前記メモリに格納された前記コンピュータ実行可能命令を実行して、前記無線アクセスネットワークノードが請求項９乃至１４のいずれか一項に記載の制御プレーンノードを判定する前記方法を実行する、無線アクセスネットワークノード。
【請求項３９】
プロセッサと、トランシーバと、メモリと、システムバスとを含む制御プレーンノードであって、
前記メモリは、コンピュータ実行可能命令を格納するように構成され、前記プロセッサ、前記トランシーバ、および前記メモリは、前記システムバスを用いて互いに接続され、かつ互いに通信するように構成され、前記制御プレーンノードが動作するとき、前記プロセッサは、前記メモリに格納された前記コンピュータ実行可能命令を実行して、前記制御プレーンノードが請求項１５乃至１９のいずれか一項に記載の制御プレーンノードを判定する方法を実行する、制御プレーンノード。
【請求項４０】
請求項２０乃至２５のいずれか一項または請求項３７に記載の前記ユーザ機器ＵＥと、請求項２６乃至３１のいずれか一項または請求項３８に記載の無線アクセスネットワークノードと、請求項３２乃至３６のいずれか一項または請求項３９に記載の制御プレーンノードとを備える無線通信システム。
【発明の詳細な説明】
【技術分野】
【０００１】
本発明は、通信分野に関し、特に、制御プレーンノードを判定する方法、装置、および無線通信システムに関する。
【背景技術】
【０００２】
複数のネットワークスライス（英語：ｎｅｔｗｏｒｋ  ｓｌｉｃｅ）が無線通信システムに配置されているので、無線通信システムは異なるアプリケーションシナリオに適合させることができる。例えば、図１に示すように、無線通信システムにおいて異なるタイプのユーザ機器（英語：ｕｓｅｒ  ｅｑｕｉｐｍｅｎｔ、略してＵＥ）に対して異なるネットワークスライスを配置され得る。例えば、ＭＢＢネットワークスライスは、モバイルブロードバンド（英語：ｍｏｂｉｌｅ  ｂｒｏａｄｂａｎｄ、略してＭＢＢ）ＵＥに対して配置されてもよく、Ｖ２Ｖネットワークスライスは、車車間通信（英語：ｖｅｈｉｃｌｅ  ｔｏ  ｖｅｈｉｃｌｅ、Ｖ２Ｖ）ＵＥに対して配置されてもよく、ＭＴＣネットワークスライスは、マシンタイプ通信（英語：ｍａｃｈｉｎｅ  ｔｙｐｅ  ｃｏｍｍｕｎｉｃａｔｉｏｎ）ＵＥに対して配置されてもよい。
【０００３】
ＵＥによって送信されたサービス要求メッセージを受信した後、無線アクセスネットワークノードは、通常、ＵＥに予め接続されているモビリティ管理エンティティ（英語：モビリティ管理エンティティ、略してＭＭＥ）の識別子を取得するために、サービス要求メッセージで搬送されるグローバル一意一時アイデンティティ（英語：ｇｌｏｂａｌｌｙ  ｕｎｉｑｕｅ  ｔｅｍｐｏｒａｒｙ  ｉｄｅｎｔｉｔｙ、略してＧＵＴＩ） 内のグローバル一意モビリティ管理エンティティ識別子（英語：ｇｌｏｂａｌｌｙ  ｕｎｉｑｕｅ  ｍｏｂｉｌｉｔｙ  ｍａｎａｇｅｍｅｎｔ  ｅｎｔｉｔｙ  ｉｄｅｎｔｉｆｉｅｒ、略してＧＵＭＭＥＩ）フィールドを解析し得る。ＭＭＥの識別子が無線アクセスネットワークノードに格納されたＭＭＥリストに含まれていない場合、無線アクセスネットワークノードは、ＭＭＥ選択機能に基づいてＵＥに対する適切なＭＭＥを選択し、ＤＮＳクエリ
を介してＭＭＥのアクセスアドレスを取得し、次いで、ＵＥのサービス要求メッセージを処理のためにＭＭＥに送信し得る。
【０００４】
しかしながら、無線通信システムには複数のネットワークスライスが配置されており、ネットワークスライスに対応するＭＭＥと、異なるタイプのＵＥに対してカスタマイズされたサービスを提供するＭＭＥは異なる。したがって、無線アクセスネットワークノードがＭＭＥ選択機能を用いてＵＥ用にＭＭＥを選択する場合、ＵＥが属するネットワークスライスに対応するＭＭＥ以外のＭＭＥが選択し得る。その結果、無線アクセスネットワークノードによってＵＥ用に選択されたＭＭＥは、ＵＥに対してカスタマイズされたサービスを提供することができない。
【発明の概要】
【０００５】
本発明の実施形態は、ＵＥが属するネットワークスライスに対応する制御プレーンノードをＵＥに対して選択するように、制御プレーンノード、装置、および無線通信システムを判定する方法を提供し、それにより制御プレーンノードがカスタマイズされたサービスをＵＥに提供できることを確実にする。
【０００６】
下記の技術的解決策は、上記目的を達成するために、本発明の実施形態において使用される。
【０００７】
第１の態様によると、本発明の実施形態は、制御プレーンノードを判定する方法であって、
ユーザ機器ＵＥにより指示情報を取得するステップであって、指示情報は、ＵＥが属するネットワークスライスを示すために使用される、ステップと、ＵＥにより、アクセス層要求メッセージを無線アクセスネットワークノードに送信するステップであって、アクセス層要求メッセージは指示情報を含み、アクセス層要求メッセージは、無線アクセスネットワークノードをトリガして、指示情報に基づいてＵＥに対するネットワークスライスに対応する制御プレーンノードを判定するために使用される、ステップとを含む方法を提供する。
【０００８】
本発明のこの実施形態では、ＵＥによって無線アクセスネットワークノードに送信され、ＵＥに対する制御プレーンノードを判定するために使用される指示情報は、ＵＥが属するネットワークスライスを正確に示すことができる。したがって、ＵＥが指示情報を無線アクセスネットワークノードに送信した後、無線アクセスネットワークノードは、指示情報に基づきＵＥに対して、ＵＥが属するネットワークスライスに対応する制御プレーンノードを判定してよく、それにより、制御プレーンノードは、ＵＥに対してカスタマイズされたサービスを確実に提供することができる。
【０００９】
任意選択的に、本発明のこの実施形態では、ＵＥにより指示情報を取得するステップの具体的な手法は、
ＵＥにより、事前設定された指示情報を取得するステップ、
ＵＥにより、制御プレーンノードによって送信された指示情報を受信するステップ、または
ＵＥにより、制御プレーンノードによって送信された一時アイデンティティを受信し、ＵＥにより、指示情報を一時アイデンティティに基づいて取得するステップステップであって、一時アイデンティティは指示情報を含む、ステップ
を含み得る。
【００１０】
本発明のこの実施形態では、ＵＥは、前述の３つの方法のいずれか１つで指示情報を取得し得る。ＵＥによって事前設定された指示情報を取得することは、実装の複雑さを低減してよく、制御プレーンノードによって送信された指示情報をＵＥによって受信することは、確実に既存のメッセージフォーマットが変更されないようにしてよく、ＧＵＴＩに基づいてＵＥによる指示情報を得るには、既存のメッセージフォーマットに基づく改善が必要となり、その実装は比較的便利である。
【００１１】
任意選択的に、指示情報は、ネットワークスライスの識別子であり、ＵＥにより指示情報を取得するステップの具体的な手法は、
ＵＥによりネットワークスライスの識別子情報を取得するステップと、ＵＥによりネットワークスライスの識別子情報と事前設定されたマッピング関係に基づいて、ネットワークスライスの識別子であり、かつネットワークスライスの識別子情報に対応する識別子を取得するステップであって、マッピング関係はネットワークスライスの識別子情報とネットワークスライスの識別子との間のマッピング関係を含む、ステップとを含み得る。
【００１２】
本発明のこの実施形態において、ＵＥは、ＵＥが属するネットワークスライスの識別子を直接取得し得る。あるいは、ＵＥはまず、ＵＥが属するネットワークスライスの識別子情報を取得し、次に、ネットワークスライスの識別子情報に基づいて、ネットワークスライスの識別子を取得し得る。ＵＥが属するネットワークスライスの識別子をＵＥにより直接取得する方法は、ネットワークスライスの識別子が標準化されているシナリオに適用し得る。ＵＥが属するネットワークスライスの識別子をＵＥにより間接的に取得する方法は、ネットワークスライスの識別子が標準化されていないシナリオに適用し得る。すなわち、本発明の実施形態において提供される制御プレーンノードを判定する方法は、ネットワークスライスの識別子が標準化されているシナリオと、ネットワークスライスの識別子が標準化されていないシナリオの両方に対応可能である。
【００１３】
第２の態様によると、本発明の実施形態は、制御プレーンノードを判定する方法であって、
無線アクセスネットワークノードにより、ユーザ機器ＵＥによって送信されたアクセス層要求メッセージを受信するステップであって、アクセス層要求メッセージは指示情報を含み、指示情報はＵＥが属するネットワークスライスを示すために使用される、ステップと、無線アクセスネットワークノードにより、指示情報に基づいて、ＵＥが属するネットワークスライスに対応する制御プレーンノードを判定するステップとを含む方法を提供する。
【００１４】
本発明のこの実施形態では、ＵＥの制御プレーンノードを判定するために無線アクセスネットワークノードによって使用される指示情報は、ＵＥが属するネットワークスライスを正確に示し得る。したがって、無線アクセスネットワークノードは、指示情報に基づきＵＥに対して、ＵＥが属するネットワークスライスに対応する制御プレーンノードを判定してよく、それにより，制御プレーンノードはＵＥに対してカスタマイズされたサービスを確実に提供できる。
【００１５】
任意選択的に、ＵＥに対する無線アクセスネットワークノードにより、指示情報に基づいて、ＵＥが属するネットワークスライスに対応する制御プレーンノードを判定するステップは、
無線アクセスネットワークノードにより、指示情報に基づいて、ＵＥが属するネットワークスライスの識別子を取得するステップと、
無線アクセスネットワークノードにより、ＵＥが属するネットワークスライスの識別子および事前設定された第１のマッピング関係に基づいて、制御プレーンノードの識別子であり、ＵＥが属するネットワークスライスの識別子に対応する識別子を取得するステップであって、第１のマッピング関係は、ＵＥが属するネットワークスライスの識別子とＵＥが属するネットワークスライスに対応する制御プレーンノードの識別子との間のマッピング関係を含む、ステップと、
ＵＥに対する無線アクセスネットワークノードにより、制御プレーンノードの識別子に基づいて、ＵＥが属するネットワークスライスに対応する制御プレーンノードを判定するステップとを含む。
【００１６】
本発明のこの実施形態では、無線アクセスネットワークノードは、ＵＥが属するネットワークスライスの識別子に基づいてＵＥに対する制御プレーンノードを判定し得る。したがって、制御プレーンノードは、制御プレーンノードがＵＥに対してカスタマイズされたサービスを確実に提供できるように、ＵＥが属するネットワークスライスに対応する制御プレーンノードとなることを保障することができる。
【００１７】
任意選択的に、指示情報は、ネットワークスライスの識別子情報である。
【００１８】
無線アクセスネットワークノードにより、指示情報に基づいて、ＵＥが属するネットワークスライスの識別子を取得する具体的な方法は、
無線アクセスネットワークノードにより、ネットワークスライスの識別子情報および事前設定された第２のマッピング関係に基づいて、ネットワークスライスの識別子であり、ネットワークスライスの識別子情報に対応する識別子を取得するステップであって、第２のマッピング関係は、ネットワークスライスの識別子情報とネットワークスライスの識別子との間のマッピング関係を含む、ステップを含み得る。
【００１９】
このように、無線アクセスネットワークノードはまず、ＵＥが属するネットワークスライスの識別子情報を取得し、次に、ネットワークスライスの識別子情報に基づいて、ネットワークスライスの識別子を取得する。この方法は、ネットワークスライスの識別子が標準化されないシナリオに適用し得る。
【００２０】
第３の態様によると、本発明の実施形態は、制御プレーンノードを判定する方法であって、
制御プレーンノードにより、ユーザ機器ＵＥによって送信された非アクセス層要求メッセージを受信するステップと、制御プレーンノードにより、非アクセス層要求メッセージに基づいてＵＥの使用タイプを取得するステップと、制御プレーンノードにより、ＵＥの使用タイプおよび事前設定されたマッピング関係に基づいて、ＵＥの使用タイプに対応する指示情報を取得するステップであって、指示情報は、ＵＥが属するネットワークスライスを示すために使用され、マッピング関係はＵＥの使用タイプと指示情報との間のマッピング関係を含む、ステップと、制御プレーンノードにより、指示情報をＵＥに送信するステップとを含む方法を提供する。
【００２１】
本発明のこの実施形態では、制御プレーンノードは、ＵＥに対して、ＵＥが属するネットワークスライスを正確に示す指示情報を送信し得る。したがって、ＵＥが指示情報を無線アクセスネットワークノードに送信した後、無線アクセスネットワークノードは、指示情報に基づきＵＥに対して、ＵＥが属するネットワークスライスに対応する制御プレーンノードを判定してよく、それにより、制御プレーンノードは、ＵＥに対してカスタマイズされたサービスを確実に提供することができる。
【００２２】
任意選択的に、制御プレーンノードにより指示情報をＵＥに送信するステップの具体的な方法は、
制御プレーンノードにより、一時アイデンティティをＵＥに送信するステップであって、一時アイデンティティは指示情報を含む、ステップを含み得る。
【００２３】
制御プレーンノードが一時アイデンティティ（または具体的にはＧＵＴＩＵＥ）を使用して指示情報をＵＥに送信する方法は、既存のメッセージフォーマットに基づいて改善してよく、その実装は比較的便利である。
【００２４】
第４の態様によると、本発明の実施形態は、
指示情報を取得するように構成された取得部であって、指示情報は、ＵＥが属するネットワークスライスを示すために使用される、取得部と、アクセス層要求メッセージを無線アクセスネットワークノードに送信するように構成された送信部であって、アクセス層要求メッセージは取得部によって取得される指示情報を含み、アクセス層要求メッセージは、指示情報に基づいてＵＥに対するネットワークスライスに対応する制御プレーンノードを判定するように無線アクセスネットワークノードをトリガするために使用される、送信部とを備えるＵＥを提供する。
【００２５】
本発明のこの実施形態では、ＵＥによって無線アクセスネットワークノードに送信され、かつＵＥに対する制御プレーンノードを判定するために使用される指示情報は、ＵＥが属するネットワークスライスを正確に示すことができる。したがって、ＵＥが指示情報を無線アクセスネットワークノードに送信した後で、無線アクセスネットワークノードは、指示情報に基づきＵＥに対して、ＵＥが属するネットワークスライスに対応する制御プレーンノードを判定してよく、それにより、制御プレーンノードはカスタマイズされたサービスをＵＥに対して確実に提供することができる。
【００２６】
任意選択的に、取得部は具体的には、事前設定された指示情報を取得するように構成され、
取得部は具体的には、制御プレーンノードによって送信された指示情報を受信するように構成され、または
取得部は具体的には、制御プレーンノードによって送信された一時アイデンティティを受信し、一時アイデンティティに基づいて指示情報を取得するように構成され、一時アイデンティティは指示情報を含む。
【００２７】
任意選択的に、指示情報は、ネットワークスライスの識別子である。
【００２８】
取得部は具体的には、ネットワークスライスの識別子情報を取得し、ネットワークスライスの識別子情報と事前設定されたマッピング関係に基づいて、ネットワークスライスの識別子であり、かつネットワークスライスの識別子情報に対応する識別子を取得するように構成され、マッピング関係はネットワークスライスの識別子情報とネットワークスライスの識別子との間のマッピング関係を含む。
【００２９】
第４の態様のオプションの方法における技術的効果の詳細な説明については、第１の態様の対応するオプションの方法における技術的効果の関連説明を参照されたい。詳細は本明細書では再度説明しない。
【００３０】
第５の態様によると、本発明の実施形態は、
ユーザ機器ＵＥによって送信されたアクセス層要求メッセージを受信するように構成された受信部であって、アクセス層要求メッセージは指示情報を含み、指示情報は、ＵＥが属するネットワークスライスを示すために使用される、受信部と、受信部によって受信された指示情報に基づいてＵＥに対するネットワークスライスに対応する制御プレーンノードを判定するように構成された判定部とを備える無線アクセスネットワークノードを提供する。
【００３１】
本発明のこの実施形態では、ＵＥに対する制御プレーンノードを判定するために無線アクセスネットワークノードによって使用される指示情報は、ＵＥが属するネットワークスライスを正確に示し得る。したがって、無線アクセスネットワークノードは、指示情報に基づきＵＥに対して、ＵＥが属するネットワークスライスに対応する制御プレーンノードを判定し、それにより，制御プレーンノードはＵＥに対してカスタマイズされたサービスを確実に提供できる。
【００３２】
任意選択的に、判定部は具体的には、指示情報に基づいて、ＵＥが属するネットワークスライスの識別子を取得し、ネットワークスライスの識別子および事前設定された第１のマッピング関係に基づいて、制御プレーンノードの識別子であり、ネットワークスライスの識別子に対応する識別子を取得し、制御プレーンノードの識別子に基づいて、ＵＥに対するネットワークスライスに対応する制御プレーンノードを判定するように構成され、第１のマッピング関係は、ＵＥが属するネットワークスライスの識別子と制御プレーンノードの識別子との間のマッピング関係を含む。
【００３３】
任意選択的に、指示情報は、ネットワークスライスの識別子情報である。
【００３４】
判定部は具体的には、ネットワークスライスの識別子情報および事前設定された第２のマッピング関係に基づいて、ネットワークスライスの識別子であり、ネットワークスライスの識別子情報に対応する識別子を取得するように構成され、第２のマッピング関係は、ＵＥが属するネットワークスライスの識別子情報とネットワークスライスの識別子との間のマッピング関係を含む。
【００３５】
第５の態様のオプションの方法における技術的効果の詳細な説明については、第２の態様の対応するオプションの方法における技術的効果の関連説明を参照されたい。詳細は本明細書では再度説明しない。
【００３６】
第６の態様によると、本発明の実施形態は、
ユーザ機器ＵＥによって送信された非アクセス層要求メッセージを受信するように構成された受信部と、
受信部によって受信された非アクセス層要求メッセージに基づいてＵＥの使用タイプを取得し、ＵＥの使用タイプおよび事前設定されたマッピング関係に基づいて、ＵＥの使用タイプに対応する指示情報を取得するように構成された取得部であって、マッピング関係はＵＥの使用タイプと指示情報との間のマッピング関係を含み、指示情報は、ＵＥが属するネットワークスライスを示すために使用される、取得部と、取得部によって取得された指示情報をＵＥに送信するように構成された送信部とを備える制御プレーンノードを提供する。
【００３７】
本発明のこの実施形態では、制御プレーンノードは、ＵＥに対して、ＵＥが属するネットワークスライスを正確に示す指示情報を送信し得る。したがって、ＵＥが指示情報を無線アクセスネットワークノードに送信した後、無線アクセスネットワークノードは、指示情報に基づきＵＥに対して、ＵＥが属するネットワークスライスに対応する制御プレーンノードを判定してよく、それにより、制御プレーンノードは、ＵＥに対してカスタマイズされたサービスを確実に提供することができる。
【００３８】
任意選択的に、送信部は具体的には、一時アイデンティティをＵＥに送信するように構成され、一時アイデンティティは指示情報を含む。
【００３９】
第６の態様のオプションの方法における技術的効果の詳細な説明については、第３の態様の対応するオプションの方法における技術的効果の関連説明を参照されたい。詳細は本明細書では再度説明しない。
【００４０】
任意選択的に、第１の態様乃至第６の態様において、指示情報は、ネットワークスライスの識別子またはネットワークスライスの識別子情報であり、ネットワークスライスの識別子情報は、ネットワークスライスの識別子を示すために使用される。
【００４１】
指示情報がネットワークスライスの識別子であることは、ネットワークスライスの識別子が標準化されているシナリオに適用可能であってよく、指示情報がネットワークスライスの識別子情報であることは、ネットワークスライスの識別子が標準化されていないシナリオに適用可能であり得る。すなわち、本発明のこの実施形態で提供される制御プレーンノードを判定する方法は、ネットワークスライスの識別子が標準化されているシナリオと、ネットワークスライスの識別子が標準化されていないシナリオの両方に対応可能である。
【００４２】
任意選択的に、第１の態様、第３の態様、第４の態様、および第６の態様において、
一時アイデンティティは、グローバル一意一時アイデンティティＧＵＴＩであってもよく、ＧＵＴＩは指示情報を含むか、あるいはＧＵＴＩはグローバル一意モビリティ管理エンティティ識別子ＧＵＭＭＥＩを含み、ＧＵＭＭＥＩは指示情報を含む。
【００４３】
任意選択的に、第１の態様、第３の態様、第４の態様、および第６の態様において、
ＧＵＴＩは、ＭＭＥ−一時移動体加入者アイデンティティＭ−ＴＭＳＩフィールドを含み、Ｍ−ＴＭＳＩフィールドは指示情報を示すために使用され、
ＧＵＭＭＥＩは、地上波公共移動通信ネットワークＰＬＭＮ識別子フィールドを含み、ＰＬＭＮ識別子フィールドは指示情報を示すために使用され、
ＧＵＭＭＥＩは、モビリティ管理エンティティＭＭＥグループ識別子フィールドを含み、ＭＭＥグループ識別子フィールドは指示情報を示すために使用され、または
ＧＵＴＩまたはＧＵＭＭＥＩはネットワークスライス識別子フィールドを含み、ネットワークスライス識別子フィールドは指示情報を示すために使用される。
【００４４】
任意選択的に、第２の態様および第５の態様において、指示情報は、アクセス層要求メッセージ中の一時アイデンティティで搬送されてもよい。
【００４５】
任意選択的に、第２の態様および第５の態様において、アクセス層要求メッセージは、ＧＵＭＭＥＩを含み、ＧＵＭＭＥＩは指示情報を含む。
【００４６】
任意選択的に、第２の態様および第５の態様において、ＧＵＭＭＥＩは、ＰＬＭＮ識別子フィールドを含み、ＰＬＭＮ識別子フィールドは指示情報を示すために使用され、
ＧＵＭＭＥＩは、ＭＭＥグループ識別子フィールドを含み、ＭＭＥグループ識別子フィールドは指示情報を示すために使用され、または
アクセス層要求メッセージまたはＧＵＭＭＥＩはネットワークスライス識別子フィールドを含み、ネットワークスライス識別子フィールドは指示情報を示すために使用される。
【００４７】
本発明のこの実施形態は、指示情報の指示が柔軟に実施され得るように、指示情報を示す複数の方法を支援し得る。
【００４８】
第７の態様によると、本発明の実施形態は、プロセッサと、トランシーバと、メモリと、システムバスとを含むユーザ機器ＵＥを提供する。メモリは、コンピュータ実行可能命令を格納するように構成される。プロセッサ、トランシーバ、およびメモリは、システムバスを用いて互いに接続され、かつ互いに通信するように構成される。ＵＥが動作するとき、プロセッサは、メモリに格納されたコンピュータで実行可能な命令を実行して、ＵＥが第１の態様または第１の態様のオプションの方法のいずれか一つによる制御プレーンノードを判定する方法を実行する。
【００４９】
第８の態様によると、本発明の実施形態は、プロセッサと、トランシーバと、メモリと、システムバスとを含む無線アクセスネットワークノードを提供する。メモリは、コンピュータ実行可能命令を格納するように構成される。プロセッサ、トランシーバ、およびメモリは、システムバスを用いて互いに接続され、かつ互いに通信するように構成される。無線アクセスネットワークノードが動作するとき、プロセッサは、メモリに格納されたコンピュータで実行可能な命令を実行して、無線アクセスネットワークノードが第２の態様または第２の態様のオプションの方法のいずれか一つによる制御プレーンノードを判定する方法を実行する。
【００５０】
第９の態様によると、本発明の実施形態は、プロセッサと、トランシーバと、メモリと、システムバスとを含む制御プレーンノードを提供する。メモリは、コンピュータ実行可能命令を格納するように構成される。プロセッサ、トランシーバ、およびメモリは、システムバスを用いて互いに接続され、かつ互いに通信するように構成される。制御プレーンノードが動作するとき、プロセッサは、メモリに格納されたコンピュータで実行可能な命令を実行して、制御プレーンノードが第３の態様または第３の態様のオプションの方法のいずれか一つによる制御プレーンノードを判定する方法を実行する。
【００５１】
第１０の態様によると、本発明の実施形態は、
第４の態様、第４の態様のオプションの方法または第７の態様のいずれか一つによるユーザ機器ＵＥと、第５の態様、第５の態様のオプションの方法または第８の態様のいずれか一つによる無線アクセスネットワークノードと、第６の態様、第６の態様のオプションの方法または第９の態様のいずれか一つによる制御プレーンノードとを備える無線通信システムを提供する。
【００５２】
本発明のこの実施形態では、ＵＥに対する制御プレーンノードを判定するために無線アクセスネットワークノードによって使用される指示情報は、ＵＥが属するネットワークスライスを正確に示し得る。したがって、無線アクセスネットワークノードは、指示情報に基づきＵＥに対して、ＵＥが属するネットワークスライスに対応する制御プレーンノードを判定し、それにより，制御プレーンノードはＵＥに対してカスタマイズされたサービスを確実に提供できる。
【図面の簡単な説明】
【００５３】
本発明の実施形態または先行技術における技術的解決策をより明確に説明するために、以下、実施形態または従来技術を説明するために必要な添付図面を簡単に説明する。明らかに、以下の説明における添付図面は、単に本発明のいくつかの実施形態を示すものである。
【００５４】
【図１】図１は、従来技術の無線通信システムに配備されたネットワークスライスの概略図である。
【図２】図２は、本発明の実施形態による無線通信システムの概略構造図である。
【図３】図３は、本発明の実施形態による制御プレーンノードを判定する方法の概略図である。
【図４】図４は、本発明の実施形態によるＵＥの概略構造図である。
【図５】図５は、本発明の実施形態による無線アクセスネットワークノードの概略構造図である。
【図６】図６は、本発明の実施形態による制御プレーンノードの概略構造図である。
【図７】図７は、本発明の実施形態によるＵＥのハードウェアの概略図である。
【図８】図８は、本発明の実施形態による無線アクセスネットワークノードのハードウェアの概略図である。
【図９】図９は、本発明の実施形態による制御プレーンノードのハードウェアの概略図である。
【発明を実施するための形態】
【００５５】
本明細書における「および／または」という用語は、関連するオブジェクトを記述するための関連関係のみを記述し、３つの関係が存在し得ることを表す。例えば、Ａおよび／またはＢは、以下の３つの場合、すなわち、Ａのみ存在する、ＡおよびＢの両方が存在する、Ｂのみが存在する場合を表し得る。さらに、本明細書中の記号「／」は、一般に、関連するオブジェクト間の「または」の関係を示す。例えば、Ａ／Ｂは、ＡまたはＢと理解され得る。
【００５６】
本発明の実施形態において、「例」または「例えば」などの単語は、例、イラスト、または説明を与えることを表すために使用される。本発明の実施形態において「例」または「例えば」として記載された任意の実施形態または設計上の解決策は、他の実施形態または設計上の解決策よりも好ましい、あるいはより有利なものとして説明されるべきではない。厳密には、「例」または「例えば」などの単語の使用は、特定の方法で関連概念を提示することを意図している。
【００５７】
本発明の説明において、特に指定しない限り、「複数」とは、２つ以上を意味する。例えば、複数のネットワークスライスは、２つ以上のネットワークスライスを指す。
【００５８】
さらに、用語「備える」、「含む」、または本発明の説明において言及されるそれらの任意の他の変形は、非排他的な包含物を保護することを意図する。例えば、一連のステップまたはユニットを含むプロセス、方法、システム、製品、またはデバイスは、列挙されたステップまたはユニットに限定されないが、任意選択的に、他の列挙されていないステップまたはユニットをさらに含むか、あるいは、任意選択的に、プロセス、方法、製品、またはデバイスの別の固有のステップまたはユニットをさらに含む。
【００５９】
以下の説明では、特定のシステム構造、インタフェース、および技術などの特定の詳細は、本発明を完全に理解するために例示的であるが限定的な意味で示されていない。しかし、当業者は、これらの特定の詳細なしに他の実施形態において本発明を実施し得ることを理解すべきである。その他の場合、周知の装置、回路、方法の詳細な説明は省略し、不必要な詳細により不明瞭にすることなく本発明を説明する。
【００６０】
本発明の実施形態で提供される制御プレーンノードを判定する方法は、無線通信システムに適用することができる。例えば、無線通信システムは、第４世代移動通信技術（英語：ｔｈｅ  ４ｔｈ  ｇｅｎｅｒａｔｉｏｎ  ｍｏｂｉｌｅ  ｃｏｍｍｕｎｉｃａｔｉｏｎ  ｔｅｃｈｎｏｌｏｇｙ、略して４Ｇ）を使用するシステムであり、以下、４Ｇシステムと呼ばれるシステムであってもよいし、第５世代移動通信技術（英語：ｔｈｅ  ５ｔｈ  ｇｅｎｅｒａｔｉｏｎ  ｍｏｂｉｌｅ  ｃｏｍｍｕｎｉｃａｔｉｏｎ  ｔｅｃｈｎｏｌｏｇｙ、略して５Ｇ）を使用するシステムであり、以下、５Ｇシステムと呼ばれるシステムであってもよいし、または複数のネットワークスライスが配備された別の無線通信システムであってもよい。例えば、図２に示すように、図２は、本発明の実施形態による無線通信システムの概略的なアーキテクチャ図である。図２において、無線通信システムは、制御プレーンノードと、無線アクセスネットワークノードと、ＵＥとを含む。制御プレーンノード、無線アクセスネットワークノード、およびＵＥの任意の２つは、互いに相互作用することができる。本発明のこの実施形態では、図２に示すように、複数のネットワークスライスが無線通信システムに配備され、各ネットワークスライスは、ネットワークスライスに接続されたＵＥに対してカスタマイズされたサービスを提供するように構成された１つの制御プレーンノードに対応する。
【００６１】
図２に示すように、具体的には、ソフトウェア定義ネットワーク（英語：ｓｏｆｔｗａｒｅ  ｄｅｆｉｎｅｄ  ｎｅｔｗｏｒｋｉｎｇ、略してＳＤＮ）技術とネットワーク機能バーチャリゼーション（ｎｅｔｗｏｒｋ  ｆｕｎｃｔｉｏｎｓ  ｖｉｒｔｕａｌｉｚａｔｉｏｎ、略してＮＦＶ）技術とを組み合わせることにより、同一のインフラストラクチャ内の異なるタイプのＵＥに対して異なるネットワークスライスを提供し得る、すなわち、異なるタイプのＵＥに対して異なるカスタマイズされたサービスを提供するネットワークスライスを無線通信システムに配備し得る。例えば、ＭＢＢネットワークスライスをＭＢＢ  ＵＥ上に配備し、Ｖ２ＶネットワークスライスをＶ２Ｖ  ＵＥに配備し、ＭＴＣネットワークスライスをＭＴＣ  ＵＥ上に配備し、ＩＴＳネットワークスライスをリモートマシンおよび高度道路交通システム（英語：ｉｎｔｅｌｌｉｇｅｎｔ  ｔｒａｎｓｆｅｒ  ｓｙｓｔｅｍ、略してＩＴＳ）ＵＥに配備し得る。
【００６２】
本発明のこの実施形態では、異なるネットワークスライスの機能は、異なるカスタマイズされたソフトウェアに基づいて実装されてもよく、最適化構成は、ＵＥのタイプおよび特徴に基づいて実行されてもよく、それにより、ＵＥは、異なるタイプのＵＥが属するネットワークスライスに接続している場合にのみ、ネットワークスライスに対応する制御プレーンノードによって提供されるカスタマイズされたサービスを所得することができる。カスタマイズされたソフトウェアに基づいて実装されるネットワークスライスは、オペレータがＵＥに対するサービスとして使用されるネットワークを提供することを可能にする、すなわち、オペレータは、エンティティネットワークを仮想化し、「サービスとしてのネットワーク」形態における異なるタイプのＵＥおよび異なるアプリケーションシナリオに対する接続サービスを提供し、各ＵＥおよび各アプリケーションシナリオの特定の要件を満たすように、レート、容量、カバレッジ、遅延、信頼性、安全性および可用性などのネットワーク性能インジケータを柔軟に組み合わせることができる。
【００６３】
図２に示す無線通信システムおよび前述の説明に基づいて、複数のネットワークスライスが無線通信システムに配備され、各ネットワークスライスが１つの制御プレーンノードに対応するので、異なる制御プレーンノードは異なるタイプのＵＥにカスタマイズされたサービスを提供する。したがって、無線アクセスネットワークノードがＵＥに対する制御プレーンノードを選択するとき、ＵＥが属するネットワークスライスに対応する制御プレーンノード以外の制御プレーンノードが選択されてもよい。その結果、ＵＥの無線アクセスネットワークノードによって選択され得る制御プレーンノードは、ＵＥに対してカスタマイズされたサービスを提供することができない。
【００６４】
前述の問題を解決するために、本発明の実施形態は、制御プレーンノードを判定する方法を提供する。ＵＥは、ＵＥが属するネットワークスライスを示すために使用される指示情報を取得し、アクセス層要求メッセージを使用して無線アクセスネットワークノードに指示情報を送信するので、無線アクセスネットワークノードは、指示情報に基づきＵＥに対して、ＵＥが属するネットワークスライスに対応する制御プレーンノードを判定する。無線アクセスネットワークノードは、制御プレーンノードがＵＥに対してカスタマイズされたサービスを確実に提供し得るように、ＵＥが属するネットワークスライスに対応する制御プレーンノードを選択することができる。
【００６５】
本発明のこの実施形態では、制御プレーンノードは、無線通信システム内にあり、ＵＥに対して制御プレーン機能を提供するネットワーク要素または機能エンティティであってもよい。例えば、４Ｇシステムでは、制御プレーンノードはＭＭＥであってもよく、５Ｇシステムでは、制御プレーンノードは、ＵＥに対して制御プレーン機能を提供する機能モジュールであってもよい。
【００６６】
無線アクセスネットワークノードは、基地局、分散型基地局、クラウド無線アクセスネットワーク（英語：ｃｌｏｕｄ  ＲＡＮ、略してＣＲＡＮ）デバイス、または無線アクセスネットワークコントローラと基地局とを含むアクセスネットワークデバイスとしてもよい。分散型基地局またはＣＲＡＮデバイスは、ベースバンドユニット（英語：ｂａｓｅ  ｂａｎｄ  ｕｎｉｔ、略してＢＢＵ）およびリモート無線ユニット（英語：ｒｅｍｏｔｅ  ｒａｄｉｏ  ｕｎｉｔ、略してＲＲＵ）の両方を含み得る。あるいは、ＣＲＡＮデバイスは、柔軟なプロトコル層を有するＣＲＡＮデバイスであってもよい。柔軟なプロトコル層を有するＣＲＡＮデバイスは具体的には、拡張型ＢＢＵと拡張型ＲＲＵの両方を含む。拡張型ＢＢＵおよび拡張型ＲＲＵの両方は、いくつかまたはすべての無線プロトコル層を含み得る。無線プロトコル層は、パケットデータコンバージェンスプロトコル（英語：Ｐａｃｋｅｔ  Ｄａｔａ  Ｃｏｎｖｅｒｇｅｎｃｅ  Ｐｒｏｔｏｃｏｌ、略してＰＤＣＰ）層、無線リンク制御（英語：Ｒａｄｉｏ  Ｌｉｎｋ  Ｃｏｎｔｒｏｌ、略してＲＬＣ）層、メディアアクセス制御（英語：Ｍｅｄｉａ  Ａｃｃｅｓｓ  Ｃｏｎｔｒｏｌ、略してＭＡＣ）層、物理層（英語：ｐｈｙｓｉｃａｌ  ｌａｙｅｒ、略してＰＨＹ）を含む。ＲＲＵはさらに、無線周波数（英語：ｒａｄｉｏ  ｆｒｅｑｕｅｎｃｙ、略してＲＦ）部を含む。
【００６７】
ＵＥは無線端末であってもよい。無線端末は、ユーザのための音声および／またはデータ接続を提供するデバイス、無線接続機能を有するハンドヘルドデバイス、または無線モデムに接続された別の処理デバイスであってもよい。無線端末は、無線アクセスネットワーク（英語：Ｒａｄｉｏ  Ａｃｃｅｓｓ  Ｎｅｔｗｏｒｋ、略してＲＡＮ）を使用することにより、１つまたは複数のコアネットワークと通信し得る。無線端末は、携帯電話（「セルラ」電話とも称す）などのモバイル端末、または携帯端末を備えたコンピュータ、例えば、無線アクセスネットワークと音声および／またはデータを交換する携帯型でポケットサイズのハンドヘルド型のコンピュータ内蔵型、または車載型移動装置であってもよい。例えば、無線端末は、パーソナル通信サービス（英語：ｐｅｒｓｏｎａｌ  ｃｏｍｍｕｎｉｃａｔｉｏｎｓ  ｓｅｒｖｉｃｅ、略してＰＣＳ）電話、コードレス電話機、セッション開始プロトコル（英語：Ｓｅｓｓｉｏｎ  Ｉｎｉｔｉａｔｉｏｎ  Ｐｒｏｔｏｃｏｌ、略してＳＩＰ）電話、無線ローカルループ（英語：ｗｉｒｅｌｅｓｓ  ｌｏｃａｌ  ｌｏｏｐ、略してＷＬＬL）局、または携帯情報端末（英語：ｐｅｒｓｏｎａｌ  ｄｉｇｉｔａｌ  ａｓｓｉｓｔａｎｔ、略してＰＤＡ）であってもよい。無線端末はまた、システム、加入者ユニット（英語：ｓｕｂｓｃｒｉｂｅｒ  ｕｎｉｔ）、加入者局（英語：ｓｕｂｓｃｒｉｂｅｒ  ｓｔａｔｉｏｎ）、移動局（英語：ｍｏｂｉｌｅ  ｓｔａｔｉｏｎ）、移動局（英語：ｍｏｂｉｌｅ）、遠隔局（英語：ｒｅｍｏｔｅ  ｓｔａｔｉｏｎ）、アクセスポイント（英語：ａｃｃｅｓｓ  ｐｏｉｎｔ）、遠隔端末（英語：ｒｅｍｏｔｅ  ｔｅｒｍｉｎａｌ）、アクセス端末（英語：ａｃｃｅｓｓ  ｔｅｒｍｉｎａｌ）、ユーザ端末（英語：ｕｓｅｒ  ｔｅｒｍｉｎａｌ）、ユーザエージェント（英語：ｕｓｅｒ  ａｇｅｎｔ）、ユーザ機器（英語：ｕｓｅｒ  ｅｑｕｉｐｍｅｎｔ）等とも呼ばれる。
【００６８】
以下、本発明の実施形態における技術的解決策について、本発明の実施形態における添付図面を参照して詳細に説明する。明らかに、記載された実施形態は、本発明の全ての実施形態ではなくむしろいくつかのものに過ぎない。
【００６９】
図２に示す無線通信システムに基づいて、図３に示すように、本発明の実施形態は、制御プレーンノードを判定する方法を提供する。この方法は、以下のステップを含み得る。
【００７０】
Ｓ１０１。ＵＥは指示情報を取得する。
【００７１】
任意選択的に、本発明のこの実施形態では、ＵＥによる指示情報を取得する方法は、以下のＳ１０１ａ、Ｓ１０１ｂ、またはＳ１０１ｃ〜Ｓ１０１ｄであってもよい。
【００７２】
Ｓ１０１ａ。ＵＥは、事前設定された指示情報を取得する。
【００７３】
Ｓ１０１ａで説明したように、指示情報は、ＵＥ内で事前設定されてもよく、その結果、ＵＥは、指示情報をＵＥのメモリから直接取得し得る。
【００７４】
Ｓ１０１ｂ。ＵＥは、制御プレーンノードによって送信された指示情報を受信する。
【００７５】
Ｓ１０１ｂで説明したように、ＵＥは、制御プレーンノードによって送信された指示情報を直接受信し得る。
【００７６】
Ｓ１０１ｃ。ＵＥは、制御プレーンノードによって送信された一時アイデンティティを受信し、一時アイデンティティは指示情報を含む。
【００７７】
Ｓ１０１ｄ。ＵＥは、一時アイデンティティに基づいて指示情報を取得する。
【００７８】
Ｓ１０１ｃ〜Ｓ１０１ｄにおいて、制御プレーンノードによって送信された一時アイデンティティを受信した後、ＵＥは、一時アイデンティティから指示情報を取得し得る。
【００７９】
本発明のこの実施形態において、一時アイデンティティは、ＵＥの永続的識別子またはＵＥのデバイス識別子のうちの少なくとも１つに基づいて、ＵＥが属するネットワークスライスに対応する制御プレーンノードによってＵＥに対して割り当てられる識別子情報であり、一時アイデンティティは、ネットワーク（例えば、４Ｇシステムネットワークまたは５Ｇシステムネットワーク）内の１つのＵＥを一意に識別し得る。一時アイデンティティが使用されるので、ＵＥの永続的識別子およびネットワークの送信におけるＵＥのデバイス識別子などの、ＵＥのプライベートパラメータの公開が低減されることができる。ＵＥの永続的識別子は、国際移動体加入者アイデンティティ（英語：ｉｎｔｅｒｎａｔｉｏｎａｌ  ｍｏｂｉｌｅ  ｓｕｂｓｃｒｉｂｅｒ  ｉｄｅｎｔｉｔｙ、略してＩＭＳＩ）であってもよい。ＵＥのデバイス識別子は、国際移動装置アイデンティティ（英語：ｉｎｔｅｒｎａｔｉｏｎａｌ  ｍｏｂｉｌｅ  ｅｑｕｉｐｍｅｎｔ  ｉｄｅｎｔｉｔｙ、略してＩＭＥＩ）であってもよい。
【００８０】
任意選択的に、本発明のこの実施形態では、Ｓ１０１ｃ〜Ｓ１０１ｄにおける一時アイデンティティは、ＧＵＴＩであってもよい。ＧＵＴＩは表示情報を含み、またはＧＵＴＩはＧＵＭＭＥＩを含み、ＧＵＭＭＥＩは指示情報を含む。すなわち、制御プレーンノードによって送信されたＧＵＴＩを受信した後、ＵＥはＧＵＴＩから指示情報を直接取得し得る、またはＵＥがＧＵＴＩのＧＵＭＭＥＩから指示情報を取得し得る。
【００８１】
ＧＵＴＩまたはＧＵＴＩのＧＵＭＭＥＩが指示情報を含む特定の方法は、制御プレーンノードの以下の説明において詳細に説明され、詳細は本明細書では説明しない。
【００８２】
本発明のこの実施形態では、ＵＥは、Ｓ１０１ａ、Ｓ１０１ｂ、またはＳ１０１ｃ〜Ｓ１０１ｄのいずれかを実行することによって指示情報を取得し得る。ＵＥによって事前設定された指示情報を取得することは、実装の複雑さを低減してよく、制御プレーンノードによって送信された指示情報をＵＥによって受信することは、既存のメッセージフォーマットが変更されないことを確実にしてよく、ＧＵＴＩに基づいてＵＥによる指示情報を得ることは、既存のメッセージフォーマットに基づく改善を必要とし、その実装は比較的便利である。
【００８３】
本発明のこの実施形態では、制御プレーンノードおよびＵＥは、上記の方法のうちのどの方法が指示情報を示すために使用されるかについて予め合意に達し得ることに留意されたい。これは、本発明のこの実施形態では限定されない。
【００８４】
任意選択的に、本発明のこの実施形態では、Ｓ１０１ｂまたはＳ１０１ｃ〜Ｓ１０１ｄに対応する、ＵＥが制御プレーンノードから指示情報を取得し、制御プレーンノードが指示情報をＵＥに送信するプロセスは具体的には、以下のＳ２０１〜Ｓ２０４であってもよい。
【００８５】
Ｓ２０１。制御プレーンノードは、ＵＥによって送信された非アクセス層要求メッセージを受信する。
【００８６】
Ｓ２０２。制御プレーンノードは、非アクセス層要求メッセージに基づいてＵＥの使用タイプを取得する。
【００８７】
制御プレーンノードは、ＵＥが属するネットワークスライスに対応する制御プレーンノードであってもよいし、ＵＥが属するネットワークスライスに対応しない制御プレーンノードであってもよい。これは、本発明において特に限定されない。
【００８８】
任意選択的に、本発明のこの実施形態では、ＵＥの使用タイプは、同じタイプの通信機能またはサービス機能を有するタイプのＵＥである。ＵＥの使用タイプはまた、ＵＥのタイプ、ＵＥのサービスタイプ、または同じタイプの通信機能またはサービス機能を有するすべてのＵＥを表すために使用されることができる名前で称されることがある。ＵＥの使用タイプは、通常、ＵＥの加入データに格納される。
【００８９】
本発明のこの実施形態では、制御プレーンノードは、ＵＥによって送信された非アクセス層要求メッセージを受信した後、非アクセス層要求メッセージに基づいて、ＵＥの加入データであり、ホーム加入者サーバ（英語：ｈｏｍｅ  ｓｕｂｓｃｒｉｂｅｒ  ｓｅｒｖｅｒ、略してＨＳＳ）に格納されている加入データからＵＥの使用タイプを取得し得る。具体的には、制御プレーンノードがＵＥによって送信された非アクセス階層要求メッセージを受信した後、制御プレーンノードは、非アクセス階層要求メッセージからＵＥの識別子を取得し、次に、制御プレーンノードは、ＵＥの識別子に基づき、ＵＥの加入データであり、ＨＳＳに格納されている加入データを照会することによってＵＥの使用タイプを取得する。
【００９０】
Ｓ２０３。制御プレーンノードは、ＵＥの使用タイプおよび事前設定されたマッピング関係に基づいて、ＵＥの使用タイプに対応する指示情報を取得する。
【００９１】
指示情報は、ＵＥが属するネットワークスライスを示すために使用され、Ｓ２０３のマッピング関係は、ＵＥの使用タイプと指示情報との間のマッピング関係を含む。
【００９２】
本発明の実施形態では、実際の実装において、Ｓ２０３のマッピング関係は、複数のＵＥの使用タイプと複数の指示情報との間のマッピング関係を含み得る。マッピング関係は、Ｓ２０２で制御プレーンノードによって取得された、ＵＥの使用タイプと、ＵＥの使用タイプに対応する指示情報との間のマッピング関係を含む。
【００９３】
例えば、複数のＵＥの使用種別は、ＭＢＢ  ＵＥ、Ｖ２Ｖ  ＵＥ、ＭＴＣ  ＵＥなどを含み、複数の指示情報は、ＭＢＢ指示情報、Ｖ２Ｖ指示情報、ＭＴＣ指示情報などを含むものと仮定する。したがって、マッピング関係は、ＭＢＢ  ＵＥとＭＢＢ指示情報との間のマッピング関係、Ｖ２Ｖ  ＵＥとＶ２Ｖ指示情報との間のマッピング関係、ＭＴＣ  ＵＥとＭＴＣ指示情報との間のマッピング関係などを含む。例えば、マッピング関係は表１に示し得る。
【００９４】
【表１】
2020102882.tif 000003
【００９５】
本発明のこの実施形態では、制御プレーンノードがＵＥに一時アイデンティティを割り当てるとき、Ｓ２０２からＳ２０３が実行され得る。具体的には、一時アイデンティティがＵＥに対して利用可能でない（例えば、最初にＵＥの電源が投入されるか、ＵＥが制御プレーンノードによってＵＥに対して前回割り当てられた一時アイデンティティを削除したか、あるいはＵＥがＵＥによって格納された一時アイデンティティを取得できない）場合、ＵＥの永久識別子を使用してアクセス層要求メッセージを無線アクセスネットワークノードに送信してもよく、無線アクセスネットワークノードがＵＥに対する制御プレーンノードを選択した後、無線アクセスネットワークノードは、アクセス層要求メッセージに含まれる非アクセス層要求メッセージを制御プレーンノードに転送してもよく、その結果、制御プレーンノードは、非アクセス層要求メッセージに基づいてＵＥに一時アイデンティティを割り当て、一時アイデンティティを割り当てる際にＳ２０２およびＳ２０３を実行し得る。
【００９６】
本発明のこの実施形態では、ＵＥに対する無線アクセスネットワークノードによって選択された制御プレーンノードが、ＵＥが属するネットワークスライスに対応する制御プレーンノードと異なる場合、無線アクセスネットワークノードは、ＵＥが属するネットワークスライスにＵＥをリダイレクトするためにリダイレクト処理を実行してもよく、ネットワークスライスに対応する制御プレーンノードがＵＥに対するカスタマイズされたサービスを提供することに留意されたい。
【００９７】
Ｓ２０４。制御プレーンノードは、指示情報をＵＥに送信する。
【００９８】
任意選択的に、本発明のこの実施形態では、制御プレーンノードによって指示情報をＵＥに送信する方法は、Ｓ２０４ａまたはＳ２０４ｂであってもよい。
【００９９】
Ｓ２０４ａ。制御プレーンノードは、指示情報をＵＥに送信する。
【０１００】
Ｓ２０４ａで説明したように、制御プレーンノードは、指示情報をＵＥに直接送信し得る。
【０１０１】
Ｓ２０４ｂ。制御プレーンノードは、一時アイデンティティをＵＥに送信し、一時アイデンティティは指示情報を含む。
【０１０２】
Ｓ２０４ｂの詳細な説明については、上記実施形態におけるＳ１０１ｃ〜Ｓ１０１ｄの関連説明を参照されたい。詳細は本明細書では再度説明しない。
【０１０３】
任意選択的に、本発明のこの実施形態では、Ｓ２０４ｂにおける一時アイデンティティはＧＵＴＩであってもよい。ＧＵＴＩは表示情報を含む。またはＧＵＴＩはＧＵＭＭＥＩを含み、ＧＵＭＭＥＩは指示情報を含む。
【０１０４】
具体的には、制御プレーンノードは、指示情報をＧＵＴＩまたはＧＵＴＩのＧＵＭＭＥＩに追加し、ＧＵＴＩIまたはＧＵＴＩのＧＵＭＭＥＩをＵＥに送信することができる。例えば、制御プレーンノードがＧＵＴＩをＵＥに割り当てる場合、制御プレーンノードは、指示情報をＧＵＴＩ中の対応するフィールドまたはＧＵＴＩのＧＵＭＭＥＩに追加して、ＧＵＴＩまたはＧＵＴＩのＧＵＭＭＥＩをＵＥに送信し得る。具体的には、ＧＵＴＩまたはＧＵＴＩのＧＵＭＭＥＩを用いて制御プレーンノードが指示情報をＵＥに通知する方法は、下記方法のうちいずれかの方法であってもよい。
【０１０５】
（１）ＧＵＴＩは、ＭＭＥ−一時移動体加入者識別情報（英語：ＭＭＥ−ｔｅｍｐｏｒａｒｙ  ｍｏｂｉｌｅ  ｓｕｂｓｃｒｉｂｅｒ  ｉｄｅｎｔｉｔｙ、略してＭ−ＴＭＳＩ）フィールドを含み、Ｍ−ＴＭＳＩフィールドは、指示情報を示すために使用される。
【０１０６】
本発明のこの実施形態では、表２に示すように、Ｍ−ＴＭＳＩフィールドは４バイト（各バイトは８ビット（例えば、表２での０〜７）を含む）を含み、各バイトは １６進数値によって表され得る）、Ｍ−ＴＭＳＩフィールドの第１のバイトは、指示情報を示すために使用され、Ｍ−ＴＭＳＩフィールドの残りの３バイトは、さらにＵＥを一意に識別するために使用され得る。例えば、ＵＥに対するＧＵＴＩを生成する場合、制御プレーンノードは、まず、Ｍ−ＴＭＳＩフィールドにおいて、指示情報に基づいてＭ−ＴＭＳＩフィールドの第１のバイトの値を生成し得る。次に、制御プレーンノードは、完全なＭ−ＴＭＳＩフィールドを得るために、ＵＥに対するＭ−ＴＭＳＩフィールドの他の３バイトの値を生成する。
【０１０７】
【表２】
2020102882.tif 000004
【０１０８】
（２）ＧＵＭＭＥＩは、地上波公共移動通信ネットワーク（英語：ｐｕｂｌｉｃ  ｌａｎｄ  ｍｏｂｉｌｅ  ｎｅｔｗｏｒｋ、略してＰＬＭＮ）識別子フィールドを含み、ＰＬＭＮ識別子フィールドは指示情報を示すために使用される。
【０１０９】
本発明のこの実施形態では、表３に示すように、ＰＬＭＮ識別子フィールドは、モバイル国コード（英語：ｍｏｂｉｌｅ  ｃｏｕｎｔｒｙ  ｃｏｄｅ、略してＭＣＣ）とモバイルネットワークコード（英語：ｍｏｂｉｌｅ  ｎｅｔｗｏｒｋ  ｃｏｄｅ、略してＭＮＣ）を含む。ＭＣＣは通常、表３のＭＣＣ１、ＭＣＣ２、およびＭＣＣ３で示される３つの１０進数値で表される（例えば、４６０は、中国のモバイル国コードを表す）。一般に、ＭＣＣの変更は許可されていない。ＭＮＣは通常、表３のＭＮＣ１、ＭＮＣ２、およびＭＮＣ３で示される３つの１０進数値で表される。ＭＮＣの値の範囲は、０００〜９９９であってもよい。無線通信プロトコルによって使用されるいくつかの値（例えば、中国の携帯の場合は０００、中国のユニコムの場合は０１０）に加えて、多くの未定義の値がある。本発明のこの実施形態では、指示情報を示すためにＭＮＣを使用し得る。すなわち、ＭＮＣ内の未定義の値を使用して、指示情報と１対１の対応関係を確立し得る。例えば、００１は、ＭＢＢ指示情報を示すために使用されてもよく（ＭＢＢ指示情報は、ＭＢＢネットワークスライスを示すために使用される）、００２は、Ｖ２Ｖ指示情報を示すために使用されてもよい（Ｖ２Ｖ指示情報はＶ２Ｖネットワーク スライス）、また、００３は、ＭＴＣ指示情報（ＭＴＣ指示情報は、ＭＴＣネットワークスライスを示すために使用される）を示すために使用されてもよい。表３では、各１０進値は４ビットを占有する。
【０１１０】
【表３】
2020102882.tif 000005
【０１１１】
（３）ＧＵＭＭＥＩは、ＭＭＥグループ識別子フィールドを含み、ＭＭＥグループ識別子フィールドは、指示情報を示すために使用される。
【０１１２】
本発明のこの実施形態では、表４に示すように、ＭＭＥグループ識別子フィールドは、２バイト（各バイトは８ビット（例えば、表４での０〜７）を含む）を含み、各バイトは１６進数値によって表され得る）。ＭＭＥグループ識別子フィールドは、指示情報を示すために使用されてもよく、すなわち、ＭＭＥグループ識別子フィールド内の未定義値は、指示情報と１対１の対応を確立するために使用される。ＭＭＥグループ識別子フィールド内の未定義値と指示情報との１対１の対応を確立する例の詳細については、ＭＮＣ内の未定義値と上記（２）の指示情報との１対１の対応の関連記述を参照されたい。詳細は、本明細書では再度説明しない。
【０１１３】
【表４】
2020102882.tif 000006
【０１１４】
（４）ＧＵＴＩまたはＧＵＭＭＥＩは、ネットワークスライス識別子フィールドを含み、ネットワークスライス識別子フィールドは、指示情報を示すために使用される。
【０１１５】
本発明のこの実施形態では、ＧＵＴＩまたはＧＵＭＭＥＩを拡張することができる。ネットワークスライス識別子フィールドは、ＧＵＴＩまたはＧＵＭＭＥＩに追加されてもよく、ネットワークスライス識別子フィールドは、指示情報を示すために使用される。すなわち、ネットワークスライス識別子フィールドの値は、指示情報と１対１に対応する。表５に示すように、定義されたネットワークスライス識別子フィールドは、１バイト（バイトは８ビット（例えば、表５での０〜７）を含み、バイトは１６進数値で表され得る）を含む。ネットワークスライス識別子フィールドは、指示情報を示すために使用されてもよい、すなわち、ネットワークスライス識別子フィールド内の値は、指示情報と１対１の対応を確立するために使用される。ネットワークスライス識別子フィールド内の値と指示情報との間に１対１の対応を確立する例の詳細については、ＭＮＣ内の未定義値と上記（２）の指示情報との１対１の対応の関連記述を参照されたい。詳細は本明細書では再度説明しない。
【０１１６】
【表５】
2020102882.tif 000007
【０１１７】
（１）のＭ−ＴＭＳＩフィールド、（２）のＰＬＭＮ識別子フィールド、および（３）のＭＭＥグループ識別子フィールドは、すべてＧＵＴＩの既存フィールドであり、（４）のネットワークスライス識別子フィールドは、ＧＵＴＩまたはＧＵＭＭＥＩに新たに追加されたフィールドである。
【０１１８】
本発明のこの実施形態は、指示情報の指示を複数の方法でサポートし得るので、指示情報の指示を柔軟に実施し得る。
【０１１９】
なお、本実施形態では、Ｓ１０１ｃ〜Ｓ１０１ｄにおいて、一時アイデンティティがＧＵＴＩである場合、ＵＥによってＧＵＴＩまたはＧＵＴＩのＧＵＭＭＥＩから指示情報を取得する方法の詳細な説明については、Ｓ２０４ａおよびＳ２０４ｂにおいて、ＧＵＴＩまたはＧＵＴＩのＧＵＭＭＥＩを用いて、制御プレーンノードによってＵＥに対して指示情報を示す方法の関連する記述を参照されたい。
【０１２０】
Ｓ１０２。ＵＥは、アクセス層要求メッセージを無線アクセスネットワークノードに送信し、アクセス層要求メッセージは指示情報を含む。
【０１２１】
Ｓ１０３。無線アクセスネットワークノードは、ＵＥによって送信されたアクセス層要求メッセージを受信する。
【０１２２】
ＵＥは、指示情報を取得した後、指示情報をアクセス層要求メッセージに追加し、アクセス層要求メッセージを無線アクセスネットワークノードに送信し得る。無線アクセスネットワークノードは、ＵＥによって送信されたアクセス層要求メッセージを受信した後、アクセス層要求メッセージに基づいて指示情報を取得し得る。
【０１２３】
任意選択的に、本発明のこの実施形態では、一時アイデンティティがＧＵＴＩの場合、ＵＥがアクセス層要求メッセージを無線アクセスネットワークノードに送信するときにＵＥはＧＵＴＩ内のＧＵＭＭＥＩのみを送信するので、ＵＥにより無線アクセスネットワークノードに指示情報を示す方法は、先の実施形態で説明した（２）、（３）、および（４）となり得る。詳細については、上記実施の形態における（２）、（３）、（４）の関連説明を参照されたく、詳細は本明細書では再度説明しない。
【０１２４】
本実施形態では、（４）の方法を用いてＵＥが指示情報を無線アクセスネットワークノードに示すとき、上記（４）は、具体的に、下記と置き換えてもよい。
【０１２５】
（４’）アクセス層要求メッセージまたはＧＵＭＭＥＩは、ネットワークスライス識別子フィールドを含み、ネットワークスライス識別子フィールドは、指示情報を示すために使用される。
【０１２６】
この実施形態では、ＵＥは、アクセス層要求メッセージまたはＧＵＭＭＥＩにネットワークスライス識別子フィールドを新たに追加して、アクセス層要求メッセージまたはＧＵＭＭＥＩを拡張し、その後、ネットワークスライス識別子フィールドを使用して、指示情報を示してもよい、すなわち、ネットワークスライス識別子フィールドの値を使用して、前述の指示情報と１対１の対応関係を確立してもよい。
【０１２７】
（４’）の詳細な説明については、上記実施形態における（４）の関連説明を参照されたく、詳細は本明細書では再度説明しない。
【０１２８】
任意選択的に、本発明のこの実施形態におけるアクセス層要求メッセージは、ＲＲＣ接続要求メッセージなどの別の要求メッセージであってもよい。非アクセス層要求メッセージは、アタッチ（英語：ａｔｔａｃｈ）要求メッセージであってもよく、トラッキングエリア更新（英語：ｔｒａｃｋｉｎｇ  ａｒｅａ  ｕｐｄａｔｅ、略してＴＡＵ）要求メッセージなどの別の要求メッセージであってもよい。
【０１２９】
Ｓ１０４。無線アクセスネットワークノードは、指示情報に基づいて、ＵＥに対するネットワークスライスに対応する制御プレーンノードを判定する。
【０１３０】
任意選択的に、本発明のこの実施形態における指示情報は、ＵＥが属するネットワークスライスの識別子、またはＵＥが属するネットワークスライスの識別子情報であってもよい。ＵＥが属するネットワークスライスの識別子情報は、ＵＥが属するネットワークスライスの識別子を示すために使用される。
【０１３１】
ネットワークスライスの識別子が標準化されている場合、例えば、オペレータが統合ネットワークスライス識別子を使用することに同意する場合、本発明のこの実施形態における指示情報は、ＵＥが属するネットワークスライスの識別子であってもよく、またはネットワークスライスの識別子が標準化されていない場合、例えば、各オペレータがネットワークスライスの識別子をカスタマイズする場合、本発明の実施形態における指示情報は、ＵＥが属するネットワークスライスの識別子情報であってもよく、すなわち、ＵＥが属するネットワークスライスの識別子を示すために使用される情報であってもよい。
【０１３２】
例えば、ネットワークスライスの識別子は標準化されているものと仮定する、例えば、ＭＢＢネットワークスライスの識別子は１００として標準化され、Ｖ２Ｖネットワークスライスの識別子は１０１として標準化され、ＭＴＣネットワークスライスの識別子は１１０として標準化されると仮定する。ネットワークスライスの標準化された識別子は、前述の実施形態における（１）、（２）、（３）および（４）または（４’）の方法に従って対応するフィールドを使用して示してもよく、すなわち、１００、１０１、１１０は、対応するフィールドを使用して直接示してもよい。ネットワークスライスの識別子は標準化されていないものと仮定する、例えば、ＭＢＢネットワークスライスの識別子は１００として規定され、Ｖ２Ｖネットワークスライスの識別子は１０１として規定され、ＭＴＣネットワークスライスの識別子は１１０として規定されていると仮定し、標準化されていないネットワークスライスの識別子情報は、前述の実施形態における（１）、（２）、（３）および（４）または（４’）の方法に従って対応するフィールドを用いることにより示されてもよい。規定されたネットワークスライスの識別子情報は、ネットワークスライスの識別子を示すために使用される、すなわち、対応するフィールドは、００１（００１は１００を示すために使用される）、００２（００２は１０１を示すために使用される）、および００３（００３は１１０を示すために使用される）を示すために使用されてもよい。
【０１３３】
任意選択的に、本発明のこの実施形態では、無線アクセスネットワークノードは、指示情報に基づいて、ＵＥに対するネットワークスライスに対応する制御プレーンノードを判定する方法を判定するＳ１０４は、具体的に、以下のＳ１０４ａ〜Ｓ１０４ｃを含み得る。
【０１３４】
Ｓ１０４ａ。無線アクセスネットワークノードは、指示情報に基づいて、ＵＥが属するネットワークスライスの識別子を取得する。
【０１３５】
Ｓ１０４ｂ。無線アクセスネットワークノードは、ＵＥが属するネットワークスライスの識別子と事前設定された第１のマッピング関係とに基づいて、制御プレーンノードの識別子であって、ＵＥが属するネットワークスライスの識別子に対応する識別子を取得する。
【０１３６】
Ｓ１０４ｂにおける第１のマッピング関係は、ＵＥが属するネットワークスライスの識別子と、ＵＥが属するネットワークスライスに対応する制御プレーンノードの識別子との間のマッピング関係を含む。
【０１３７】
本発明のこの実施形態において、実際の実装では、Ｓ１０４ｂにおける第１のマッピング関係は、複数のネットワークスライスの識別子と複数の制御プレーンノードの識別子との間のマッピング関係を含み得る。第１のマッピング関係は、ネットワークスライスの識別子であり、Ｓ１０４ａにおいて無線アクセスネットワークノードによって取得される識別子と、ネットワークスライスに対応する制御プレーンノードの識別子との間のマッピング関係を含む。
【０１３８】
例えば、複数のネットワークスライスの識別子に１００、１０１、１１０が含まれていると仮定し、複数の制御プレーンノードの識別子は、制御プレーンノード識別子２０１、制御プレーンノード識別子２０２、および制御プレーンノード識別子２０３を含むと仮定する。したがって、前述の第１のマッピング関係は、１００と２０１との間のマッピング関係、１０１と２０２との間のマッピング関係、１１０と２０３との間のマッピング関係などを含む。１００は、ＭＢＢネットワークスライスの識別子であり、ＭＢＢネットワークスライスを示すために使用され、２０１は、ＭＢＢネットワークスライスに対応する制御プレーンノードの識別子である。１０１は、Ｖ２Ｖネットワークスライスの識別子であり、Ｖ２Ｖネットワークスライスを示すために使用され、２０２は、Ｖ２Ｖネットワークスライスに対応する制御プレーンノードの識別子である。１１０は、ＭＴＣネットワークスライスの識別子であり、ＭＴＣネットワークスライスを示すために使用され、２０３は、ＭＴＣネットワークスライスに対応する制御プレーンノードの識別子である。
【０１３９】
Ｓ１０４ｃ。無線アクセスネットワークノードは、制御プレーンノードの識別子に基づきＵＥに対して、ＵＥが属するネットワークスライスに対応する制御プレーンノードを判定する。
【０１４０】
任意選択的に、本発明のこの実施形態では、制御プレーンノードの識別子は、制御プレーンノードのアクセスアドレスなどであってもよい。
【０１４１】
無線アクセスネットワークノードは、制御プレーンノードの識別子であり、ＵＥが属するネットワークスライスの識別子に対応する識別子を取得した後、制御プレーンノードの識別子に基づきＵＥに対して、ＵＥが属するネットワークスライスに対応する制御プレーンノードを判定し得る。具体的には、制御プレーンノードの識別子が制御プレーンノードのアクセスアドレスであるとき、無線アクセスネットワークノードは、事前設定されたドメインネームサーバ（英語：ｄｏｍａｉｎ  ｎａｍｅ  ｓｅｒｖｅｒ、ＤＮＳ）を制御プレーンノードのアクセスアドレスについて検索して、ＵＥに対して、ＵＥが属するネットワークスライスに対応する制御プレーンノードを判定する。次に、無線アクセスネットワークノードは、ＵＥによって送信されたアクセス層要求メッセージ内で搬送された非アクセス層要求メッセージを、アクセスアドレスによって識別される制御プレーンノードに転送し、それにより、制御プレーンノードが、ＵＥに対してサービスを提供する。このようにして、無線アクセスネットワークノードは、ＵＥが属するネットワークスライスに対応する制御プレーンノードをＵＥに対して選択して、制御プレーンノードがＵＥに対してカスタマイズされたサービスを確実に提供できるようにすることができる。
【０１４２】
任意選択的に、本発明のこの実施形態では、指示情報がネットワークスライスの識別子である場合、Ｓ１０１は具体的には、Ｓ１０１ｅ〜Ｓ１０１ｆを含み得る。
【０１４３】
Ｓ１０１ｅ。ＵＥは、ＵＥが属するネットワークスライスの識別子情報を取得する。
【０１４４】
Ｓ１０１ｅでＵＥが属するネットワークスライスの識別子情報をＵＥが取得する方法について、Ｓ１０１ａ、Ｓ１０１ｂ、またはＳ１０１ｃ〜Ｓ１０１ｄにおいてＵＥにより指示情報を取得する方法を参照されたい（指示情報は、ＵＥが属するネットワークスライスの識別子情報である）。詳細は本明細書では再度説明しない。
【０１４５】
Ｓ１０１ｆ。ＵＥは、ネットワークスライスの識別子情報と事前設定されたマッピング関係に基づいて、ネットワークスライスの識別子であり、ネットワークスライスの識別子情報に対応する識別子を取得する。
【０１４６】
Ｓ１０１ｆのマッピング関係は、ＵＥが属するネットワークスライスの識別子情報と、ＵＥが属するネットワークスライスの識別子との間のマッピング関係を含む。
【０１４７】
本発明のこの実施形態において、実際の実装では、Ｓ１０１ｆのマッピング関係は、複数のネットワークスライスの識別子情報と複数のネットワークスライスの識別子との間のマッピング関係を含み得る。マッピング関係は、ネットワークスライスの識別子情報であり、Ｓ１０１ｅにおいてＵＥによって取得されるネットワークスライスの識別子情報と、ネットワークスライスの識別子であり、識別子情報に対応する識別子との間のマッピング関係を含む。
【０１４８】
例えば、複数のネットワークスライスの識別子情報は、００１、００２、００３を含み、複数のネットワークスライスの識別子は、１００、１０１、１１０を含むと仮定する。したがって、マッピング関係は、００１と１００との間のマッピング関係、００２と１０１との間のマッピング関係、００３と１１０との間のマッピング関係などを含む。１００は、ＭＢＢネットワークスライスの識別子であり、ＭＢＢネットワークスライスを示すために使用される。１０１はＶ２Ｖネットワークスライスの識別子であり、Ｖ２Ｖネットワークスライスを示すために使用される。１１０は、ＭＴＣネットワークスライスの識別子であり、ＭＴＣネットワークスライスを示すために使用される。
【０１４９】
本発明のこの実施形態では、ＵＥによって取得された指示情報がＵＥが属するネットワークスライスの識別子である場合、１つの可能な実装では、ＵＥはまず、ＵＥが属するネットワークスライスの識別子情報を取得し、次に、ＵＥは、ネットワークスライスの識別子情報と事前設定されたマッピング関係とに基づいて、ＵＥが属するネットワークスライスの識別子を取得する。このようにして、ＵＥがネットワークスライスの識別子を無線アクセスネットワークノードに送信した後、無線アクセスネットワークノードが、ネットワークスライスの識別子に基づいて、そのネットワークスライス（ＵＥが属するネットワークスライス）に対応する制御プレーンノードを選択することができ、制御プレーンノードがＵＥに対してカスタマイズされたサービスを確実に提供する。
【０１５０】
任意選択的に、本発明のこの実施形態では、指示情報がネットワークスライスの識別子情報である場合、Ｓ１０４ａは具体的に、Ｓ１０４ａ１を含み得る。
【０１５１】
Ｓ１０４ａ１。無線アクセスネットワークノードは、ネットワークスライスの識別子情報および事前設定された第２のマッピング関係に基づいて、ネットワークスライスの識別子であり、ネットワークスライスの識別子情報に対応する識別子を取得する。
【０１５２】
Ｓ１０４ａ１における第２のマッピング関係は、ＵＥが属するネットワークスライスの識別子情報とＵＥが属するネットワークスライスの識別子との間のマッピング関係を含み、すなわち、Ｓ１０４ａ１における第２のマッピング関係は、Ｓ１０１ｆにおけるマッピング関係と同じである。相違は、Ｓ１０１ｆにおけるマッピング関係がＵＥに格納され、一方Ｓ１０４ａ１における第２のマッピング関係が無線アクセスネットワークノードに格納される点である。
【０１５３】
Ｓ１０４ａ１における第２のマッピング関係の詳細および例については、上記実施形態におけるＳ１０１ｆでのマッピング関係の説明および例を参照されたい。詳細は本明細書では再度説明しない。
【０１５４】
本実施形態では、ＵＥが属するネットワークスライスの識別子をＵＥにより取得するためのＳ１０１ｅ〜Ｓ１０１ｆの方法と、ＵＥが属するネットワークスライスの識別子を無線アクセスネットワークノードにより取得するＳ１０４ａ１の方法の両方は、ネットワークスライスの識別子が標準化されていないシナリオに適用されてもよい。すなわち、本発明の実施形態で提供される制御プレーンノードを判定する方法は、ネットワークスライスの識別子が標準化されているシナリオと、ネットワークスライスの識別子が標準化されていないシナリオの両方に対応可能である。
【０１５５】
本発明の実施形態で提供される制御プレーンノードを判定する方法において、制御プレーンノードは、ＵＥが属するネットワークスライスを示すために使用される指示情報を取得し、指示情報をＵＥに送信する。ＵＥは、指示情報を取得した後、アクセス層要求メッセージを使用して指示情報を無線アクセスネットワークノードに送信し、無線アクセスネットワークノードは、指示情報に基づきＵＥに対して、ＵＥが属するネットワークスライスに対応する制御プレーンノードを判定する。
【０１５６】
前述の技術的解決策に基づいて、ＵＥ対して制御プレーンノードを判定するために無線アクセスネットワークノードによって使用される指示情報は、ＵＥが属するネットワークスライスを正確に示し得る。したがって、無線アクセスネットワークノードは、指示情報に基づきＵＥに対して、ＵＥが属するネットワークスライスに対応する制御プレーンノードを判定し、それにより制御プレーンノードがＵＥに対してカスタマイズされたサービスを確実に提供できる。
【０１５７】
図４に示すように、本発明の実施形態はＵＥを提供する。ＵＥは、前述の方法においてＵＥによって実行されるステップを実行するように構成される。ＵＥは、対応するステップに対応するモジュールを含み得る。例えば、ＵＥは、
指示情報を取得するように構成された取得部１０であって、指示情報はＵＥが属するネットワークスライスを示すために使用される、取得部１０と、アクセス層要求メッセージを無線アクセスネットワークノードに送信するように構成され、アクセス層要求メッセージが取得部１０によって取得された指示情報を含み、アクセス層要求メッセージは無線アクセスネットワークノードをトリガして、指示情報に基づいて、ＵＥに対してネットワークスライスに対応する制御プレーンノードを判定する、送信部１１とを含み得る。
【０１５８】
任意選択的に、取得部１０は具体的に、事前設定された指示情報を得るように構成される。
【０１５９】
任意選択的に、取得部は具体的に、制御プレーンノードによって送信された指示情報を受信するように構成される。
【０１６０】
任意選択的に、取得部は具体的に、制御プレーンノードによって送信された一時アイデンティティを受信し、一時アイデンティティに基づいて指示情報を取得するように構成され、一時アイデンティティは指示情報を含む。
【０１６１】
任意選択的に、一時アイデンティティはＧＵＴＩである。ＧＵＴＩは指示情報を含むか、またはＧＵＴＩはＧＵＭＭＥＩを含み、ＧＵＭＭＥＩは指示情報を含む。
【０１６２】
任意選択的に、ＧＵＴＩは、ＭＭＥ−一時モバイル加入者アイデンティティＭ−ＴＭＳＩフィールドを含み、Ｍ−ＴＭＳＩフィールドは、指示情報を示すために使用される。
【０１６３】
任意選択的に、ＧＵＭＭＥＩは、地上波公共移動通信ネットワークＰＬＭＮ識別子フィールドを含み、ＰＬＭＮ識別子フィールドは、指示情報を示すために使用される。
【０１６４】
任意選択的に、ＧＵＭＭＥＩは、モビリティ管理エンティティＭＭＥグループ識別子フィールドを含み、ＭＭＥグループ識別子フィールドは、指示情報を示すために使用される。
【０１６５】
任意選択的に、ＧＵＴＩまたはＧＵＭＭＥＩは、ネットワークスライス識別子フィールドを含み、ネットワークスライス識別子フィールドは、指示情報を示すために使用される。
【０１６６】
任意選択的に、指示情報は、ネットワークスライスの識別子またはネットワークスライスの識別子情報であり、ネットワークスライスの識別子情報は、ネットワークスライスの識別子を示すために使用される。
【０１６７】
任意選択的に、指示情報はネットワークスライスの識別子である。
【０１６８】
取得部１０は具体的には、ネットワークスライスの識別子情報を取得し、ネットワークスライスの識別子情報と事前設定されたマッピング関係とに基づいて、ネットワークスライスの識別子であり、ネットワークスライスの識別子情報に対応する識別子を取得するように構成され、マッピング関係は、ネットワークスライスの識別子情報とネットワークスライスの識別子との間のマッピング関係を含む。
【０１６９】
この実施形態のＵＥは、前述の方法の実施形態（図３に示す方法の実施形態および図示されていない方法の実施形態を含む）で制御プレーンノードを判定する方法におけるＵＥに対応してもよく、本実施形態におけるＵＥ内の各モジュールの分割および／または機能は、前述の方法の実施形態に示される方法手順を実施するためのものであることが理解され得る。繰り返しを避けるために、詳細は本明細書では再度説明しない。
【０１７０】
本発明のこの実施形態は、ＵＥを提供する。ＵＥによって無線アクセスネットワークノードに送信され、ＵＥに対する制御プレーンノードを判定するために使用される指示情報は、ＵＥが属するネットワークスライスを正確に示すことができる。したがって、ＵＥが指示情報を無線アクセスネットワークノードに送信した後、無線アクセスネットワークノードは、指示情報に基づきＵＥに対して、ＵＥが属するネットワークスライスに対応する制御プレーンノードを判定し、それにより、制御プレーンノードは、ＵＥに対してカスタマイズされたサービスを確実に提供することができる。
【０１７１】
図５に示すように、本発明の実施形態は無線アクセスネットワークノードを提供する。無線アクセスネットワークノードは、前述の方法で無線アクセスネットワークノードによって実行されるステップを実行するように構成される。無線アクセスネットワークノードは、対応するステップに対応するモジュールを含み得る。例えば、無線アクセスネットワークノードは、
ＵＥによって送信されたアクセス層要求メッセージを受信するように構成される受信部２０であり、アクセス層要求メッセージは指示情報を含み、指示情報はＵＥが属するネットワークスライスを示すために使用される、受信部２０と、受信部２０によって受信された指示情報に基づいて、ＵＥに対するネットワークスライスに対応する制御プレーンノードを判定するように構成された判定部２１とを含む。
【０１７２】
任意選択的に、指示情報は、アクセス層要求メッセージ内の一時アイデンティティで搬送されてもよい。
【０１７３】
任意選択的に、アクセス層要求メッセージはＧＵＭＭＥＩを含み、ＧＵＭＭＥＩは指示情報を含む。
【０１７４】
任意選択的に、ＧＵＭＭＥＩは、地上波公共移動通信ネットワークＰＬＭＮ識別子フィールドを含み、ＰＬＭＮ識別子フィールドは、指示情報を示すために使用される。
【０１７５】
任意選択的に、ＧＵＭＭＥＩは、モビリティ管理エンティティＭＭＥグループ識別子フィールドを含み、ＭＭＥグループ識別子フィールドは、指示情報を示すために使用される。
【０１７６】
任意選択的に、アクセス層要求メッセージまたはＧＵＭＭＥＩは、ネットワークスライス識別子フィールドを含み、ネットワークスライス識別子フィールドは、指示情報を示すために使用される。
【０１７７】
任意選択的に、指示情報は、ネットワークスライスの識別子またはネットワークスライスの識別子情報であり、ネットワークスライスの識別子情報は、ネットワークスライスの識別子を示すために使用される。
【０１７８】
任意選択的に、判定部２１は具体的には、指示情報に基づいてネットワークスライスの識別子を取得し、ネットワークスライスの識別子および事前設定された第１のマッピング関係に基づいて、制御プレーンノードの識別子であり、ネットワークスライスの識別子に対応する識別子を取得し、制御プレーンノードの識別子に基づいて、ＵＥに対するネットワークスライスに対応する制御プレーンノードを判定するように構成され、第１のマッピング関係は、ネットワークスライスの識別子と制御プレーンノードの識別子との間のマッピング関係を含む。
【０１７９】
任意選択的に、指示情報は、ネットワークスライスの識別子情報である。
【０１８０】
判定部２１は具体的には、ネットワークスライスの識別子情報と事前設定された第２のマッピング関係とに基づいて、ネットワークスライスの識別子であり、ネットワークスライスの識別子情報に対応するネットワークスライスの識別子を取得するように構成され、第２のマッピング関係はネットワークスライスの識別子情報とネットワークスライスの識別子との間のマッピング関係を含む。
【０１８１】
この実施形態の無線アクセスネットワークノードは、前述の方法の実施形態（図３に示された方法の実施形態および図示されていない方法の実施形態を含む）において制御プレーンノードを判定する方法における無線アクセスネットワークノードに対応してよく、本実施形態における無線アクセスネットワークノード内の各モジュールの分割および／または機能は、前述の方法の実施形態に示される方法手順を実施するためのものであることが理解され得る。繰り返しを避けるために、詳細は本明細書では再度説明しない。
【０１８２】
本発明のこの実施形態は、無線アクセスネットワークノードを提供する。ＵＥに対する制御プレーンノードを判定するために無線アクセスネットワークノードによって使用される指示情報は、ＵＥが属するネットワークスライスを正確に示し得る。したがって、無線アクセスネットワークノードは、指示情報に基づきＵＥに対して、ＵＥが属するネットワークスライスに対応する制御プレーンノードを判定してよく、それにより、制御プレーンノードがＵＥに対してカスタマイズされたサービスを確実に提供できる。
【０１８３】
図６に示すように、本発明の実施形態は、制御プレーンノードを提供し、制御プレーンノードは、前述の方法で制御プレーンノードによって実行されるステップを実行するように構成される。制御プレーンノードは、対応するステップに対応するモジュールを含み得る。例えば、制御プレーンノードは、
ＵＥによって送信された非アクセス階層要求メッセージを受信するように構成された受信部３０と、受信部３０によって受信された非アクセス階層要求メッセージに基づいて、ＵＥの使用タイプを取得し、ＵＥの使用タイプと事前設定されたマッピング関係とに基づいて、ＵＥの使用タイプに対応する指示情報を取得するように構成された取得部３１であって、マッピング関係はＵＥの使用タイプと指示情報との間のマッピング関係を含み、指示情報はＵＥが属するネットワークスライスを示すために使用される、取得部３１と、取得部３１により取得された指示情報をＵＥに送信するように構成された送信部３２とを備えてもよい。
【０１８４】
任意選択的に、送信部３２は具体的に、一時アイデンティティをＵＥに送信するように構成され、一時アイデンティティは、指示情報を含む。
【０１８５】
任意選択的に、一時アイデンティティは、ＧＵＴＩであってもよい。ＧＵＴＩは指示情報を含むか、またはＧＵＴＩはＧＵＭＭＥＩを含み、ＧＵＭＭＥＩは指示情報を含む。
【０１８６】
任意選択的に、ＧＵＴＩは、ＭＭＥ−一時モバイル加入者識別情報Ｍ−ＴＭＳＩフィールドを含み、Ｍ−ＴＭＳＩフィールドは、指示情報を示すために使用される。
【０１８７】
任意選択的に、ＧＵＭＭＥＩは、地上波公共移動通信ネットワークＰＬＭＮ識別子フィールドを含み、ＰＬＭＮ識別子フィールドは、指示情報を示すために使用される。
【０１８８】
任意選択的に、ＧＵＭＭＥＩは、モビリティ管理エンティティＭＭＥグループ識別子フィールドを含み、ＭＭＥグループ識別子フィールドは、指示情報を示すために使用される。
【０１８９】
任意選択的に、ＧＵＴＩまたはＧＵＭＭＥＩは、ネットワークスライス識別子フィールドを含み、ネットワークスライス識別子フィールドは、指示情報を示すために使用される。
【０１９０】
任意選択的に、指示情報は、ネットワークスライスの識別子またはネットワークスライスの識別子情報であり、ネットワークスライスの識別子情報は、ネットワークスライスの識別子を示すために使用される。
【０１９１】
本実施形態の制御プレーンノードは、前述した方法実施形態（図３に示す方法の実施形態および図示されていない方法の実施形態を含む）での制御プレーンノードを判定する方法おける制御プレーンノードに対応してよく、本実施形態における制御プレーンノード内の各モジュールの分割および／または機能は、前述の方法の実施形態に示される方法手順を実施するためのものであることが理解され得る。繰り返しを避けるために、詳細は本明細書では再度説明しない。
【０１９２】
本発明のこの実施形態は、制御プレーンノードを提供する。制御プレーンノードは、ＵＥが属するネットワークスライスを正確に示す指示情報をＵＥに送信してもよい。したがって、ＵＥが指示情報を無線アクセスネットワークノードに送信した後、無線アクセスネットワークノードは、指示情報に基づきＵＥに対して、ＵＥが属するネットワークスライスに対応する制御プレーンノードを判定してよく、それにより、制御プレーンノードは、ＵＥに対してカスタマイズされたサービスを確実に提供することができる。
【０１９３】
図７に示すように、本発明の実施形態は、ＵＥを提供する。ＵＥは、プロセッサ４０、トランシーバ４１、メモリ４２、およびシステムバス４３を含む。メモリ４２は、コンピュータ実行可能命令を格納するように構成される。プロセッサ４０、トランシーバ４１、およびメモリ４２は、システムバス４３を使用して互いに接続され、通信する。ＵＥが動作すると、プロセッサ４０は、メモリ４２に格納されたコンピュータ実行可能命令を実行し、ＵＥ 前述の方法の実施形態（図３に示される方法の実施形態および図示されていない方法の実施形態を含む）のうちのいずれか１つで説明される制御プレーンノードを判定する方法を実行する。制御プレーンノードを判定するための具体的な方法については、前述の方法の実施形態における関連する説明を参照されたく、詳細は本明細書では再度説明しない。
【０１９４】
この実施形態はさらに、記憶媒体を提供する。記憶媒体は、メモリ４２を含み得る。
【０１９５】
プロセッサ４０は、中央処理装置（英語：ｃｅｎｔｒａｌ  ｐｒｏｃｅｓｓｉｎｇ  ｕｎｉｔ、略してＣＰＵ）であってもよい。あるいは、プロセッサ４０は、別の汎用プロセッサ、デジタル信号プロセッサ（英語：ｄｉｇｉｔａｌ  ｓｉｇｎａｌ  ｐｒｏｃｅｓｓｏｒ、略してＤＳＰ）、特定用途向け集積回路（英語：ａｐｐｌｉｃａｔｉｏｎ−ｓｐｅｃｉｆｉｃ  ｉｎｔｅｇｒａｔｅｄ  ｃｉｒｃｕｉｔ、略してＡＳＩＣ）、フィールドプログラマブルゲートアレイ（英語：ｆｉｅｌｄ  ｐｒｏｇｒａｍｍａｂｌｅ  ｇａｔｅ  ａｒｒａｙ、略してＦＰＧＡ）または別のプログラマブルロジックデバイス、ディスクリートゲートまたはトランジスタロジックデバイス、ディスクリートハードウェアコンポーネントなどであってもよい。汎用プロセッサは、マイクロプロセッサであってもよく、またはプロセッサは、任意の従来のプロセッサなどであってもよい。
【０１９６】
プロセッサ４０は、専用プロセッサであってもよく、専用プロセッサは、ベースバンド処理チップ、無線周波数処理チップ等のうちの少なくとも１つを含んでいてもよい。専用プロセッサはさらに、ＵＥの別の専用処理機能を有するチップを含み得る。
【０１９７】
メモリ４２は、揮発性メモリ（英語：ｖｏｌａｔｉｌｅ  ｍｅｍｏｒｙ）、例えば、ランダムアクセスメモリ（英語：ｒａｎｄｏｍ  ａｃｃｅｓｓ  ｍｅｍｏｒｙ、略してＲＡＭ）を含み得る。メモリ４２は、不揮発性メモリ（英語：ｎｏｎ-ｖｏｌａｔｉｌｅ  ｍｅｍｏｒｙ）、例えば、読み出し専用メモリ（英語：ｒｅａｄ−ｏｎｌｙ  ｍｅｍｏｒｙ、略してＲＯＭ）、フラッシュメモリ（英語：ｆｌａｓｈ  ｍｅｍｏｒｙ）、ハードディスク（英語：ｈａｒｄ  ｄｉｓｋ  ｄｒｉｖｅ、略してＨＤＤ）、またはソリッドステートドライブ（英語：ｓｏｌｉｄ  ｓｔａｔｅ  ｄｒｉｖｅ、略してＳＳＤ）を含み得る。メモリ４２は、前述の種類のメモリの組み合わせを含み得る。
【０１９８】
システムバス４３は、データバス、電源バス、制御バス、信号ステータスバスなどを含み得る。この実施形態では、明確な説明のために、様々なバスが図７におけるシステムバス４３によって表されている。
【０１９９】
トランシーバ４１は具体的には、ＵＥ上のトランシーバであってもよい。トランシーバは、無線トランシーバであってもよい。例えば、無線トランシーバは、ＵＥのアンテナであってもよい。プロセッサ４０は、トランシーバ４１を使用して、無線アクセスネットワークノードなどの別のノードとのデータの送受信を実行する。
【０２００】
具体的な実装プロセスでは、前述の方法の実施形態に示された方法手順におけるＵＥに対応するすべてのステップは、ハードウェアの形態のプロセッサ４０が、ソフトウェアの形態であり、メモリ４２に格納されているコンピュータ実行可能命令を実行する方法で実装され得る。繰り返しを避けるために、詳細は本明細書では再度説明しない。
【０２０１】
本発明のこの実施形態は、ＵＥを提供する。ＵＥによって無線アクセスネットワークノードに送信され、ＵＥに対する制御プレーンノードを判定するために使用される指示情報は、ＵＥが属するネットワークスライスを正確に示すことができる。したがって、ＵＥが指示情報を無線アクセスネットワークノードに送信した後、無線アクセスネットワークノードは、指示情報に基づきＵＥに対して、ＵＥが属するネットワークスライスに対応する制御プレーンノードを判定してよく、それにより、制御プレーンノードは、ＵＥに対してカスタマイズされたサービスを確実に提供することができる。
【０２０２】
図８に示すように、本発明の実施形態は、無線アクセスネットワークノードを提供する。無線アクセスネットワークノードは、プロセッサ５０、トランシーバ５１、メモリ５２、およびシステムバス５３を含む。メモリ５２は、コンピュータ実行可能命令を格納するように構成される。プロセッサ５０、トランシーバ５１、およびメモリ５２は、システムバス５３を用いて互いに接続され、通信する。無線アクセスネットワークノードが動作すると、プロセッサ５０は、メモリ５２に格納されたコンピュータ実行可能命令を実行し、無線アクセスネットワークノードが、前述の方法の実施形態（図３に示される方法の実施形態および図示されない方法の実施形態を含む）のうちのいずれか１つで説明された制御プレーンノードを判定する方法を実行する。制御プレーンノードを判定する具体的な方法については、前述の方法の実施形態における関連する説明を参照されたく、詳細は本明細書では再度説明しない。
【０２０３】
この実施形態はさらに、記憶媒体を提供する。記憶媒体は、メモリ５２を含み得る。
【０２０４】
プロセッサ５０は、ＣＰＵであってもよい。プロセッサ５０は、別の汎用プロセッサ、ＤＳＰ、ＡＳＩＣ、ＦＰＧＡ、または別のプログラマブルロジックデバイス、ディスクリートゲートまたはトランジスタ論理デバイス、ディスクリートハードウェア構成要素などであってもよい。汎用プロセッサはマイクロプロセッサであってもよく、プロセッサは任意の従来のプロセッサなどであってもよい。
【０２０５】
プロセッサ５０は、専用プロセッサであってもよく、専用プロセッサは、ベースバンド処理チップ、無線周波数処理チップなどのうちの少なくとも１つを含んでもよい。専用プロセッサはさらに、無線アクセスネットワークノードの別の専用処理機能を有するチップを含み得る。
【０２０６】
メモリ５２は、揮発性メモリ、例えば、ＲＡＭを含むことができる。メモリ５２はまた、不揮発性メモリ、例えば、ＲＯＭ、フラッシュメモリ、ＨＤＤ、またはＳＳＤを含むことができる。メモリ５２は、前述のタイプのメモリの組み合わせをさらに含むことができる。
【０２０７】
システムバス５３は、データバス、電源バス、制御バス、信号ステータスバスなどを含み得る。この実施形態では、明確な説明のために、様々なバスが図８のシステムバス５３によって表されている。
【０２０８】
トランシーバ５１は具体的には、無線アクセスネットワークノード上のトランシーバであってもよい。トランシーバは、無線トランシーバであってもよい。例えば、無線トランシーバは、無線アクセスネットワークノードのアンテナであってもよい。プロセッサ５０は、トランシーバ５１を用いて、ＵＥや制御プレーンノードなどの別のノードとの間でデータの送受信を行う。
【０２０９】
具体的な実装プロセスでは、上述の方法の実施形態に示された方法手順における無線アクセスネットワークノードに対応するすべてのステップは、ハードウェアの形態のプロセッサ５０が、ソフトウェアの形態であり、メモリ５２に格納されているコンピュータ実行可能命令を実行する方法で実装され得る。繰り返しを避けるために、詳細は本明細書では再度説明しない。
【０２１０】
本発明のこの実施形態は、無線アクセスネットワークノードを提供する。ＵＥに対する制御プレーンノードを判定するために無線アクセスネットワークノードによって使用される指示情報は、ＵＥが属するネットワークスライスを正確に示し得る。したがって、無線アクセスネットワークノードは、指示情報に基づきＵＥに対して、ＵＥが属するネットワークスライスに対応する制御プレーンノードを判定してよく、それにより、制御プレーンノードはＵＥに対してカスタマイズされたサービスを確実に提供できる。
【０２１１】
図９に示すように、本発明の実施形態は、制御プレーンノードを提供する。制御プレーンノードは、プロセッサ６０、トランシーバ６１、メモリ６２、およびシステムバス６３を含む。メモリ６２は、コンピュータ実行可能命令を格納するように構成される。プロセッサ６０、トランシーバ６１、およびメモリ６２は、システムバス６３を用いて互いに接続され、通信する。制御プレーンノードが動作すると、プロセッサ６０は、メモリ６２に格納されたコンピュータ実行可能命令を実行し、制御プレーンノードは、前述の方法の実施形態（図３に示される方法の実施形態および図示されない方法の実施形態を含む）のうちのいずれか１つで説明された制御プレーンノードを判定する方法を実行する。制御プレーンノードを判定するための具体的な方法については、前述の方法の実施形態における関連する説明を参照されたく、詳細は本明細書では再度説明しない。
【０２１２】
この実施形態はさらに、記憶媒体を提供する。記憶媒体は、メモリ６２を含み得る。
【０２１３】
プロセッサ６０は、ＣＰＵであってもよい。プロセッサ６０は、別の汎用プロセッサ、ＤＳＰ、ＡＳＩＣ、ＦＰＧＡ、または別のプログラマブルロジックデバイス、ディスクリートゲートまたはトランジスタ論理デバイス、ディスクリートハードウェア構成要素などであってもよい。汎用プロセッサはマイクロプロセッサであってもよく、プロセッサは任意の従来のプロセッサなどであってもよい。
【０２１４】
プロセッサ６０は、専用プロセッサであってもよく、専用プロセッサは、ベースバンド処理チップ、無線周波数処理チップなどのうちの少なくとも１つを含んでもよい。専用プロセッサはさらに、無線アクセスネットワークノードの別の専用処理機能を有するチップを含み得る。
【０２１５】
メモリ６２は、揮発性メモリ、例えば、ＲＡＭを含むことができる。メモリ６２はまた、不揮発性メモリ、例えば、ＲＯＭ、フラッシュメモリ、ＨＤＤ、またはＳＳＤを含むことができる。メモリ６２は、前述のタイプのメモリの組み合わせをさらに含むことができる。
【０２１６】
システムバス６３は、データバス、電源バス、制御バス、信号ステータスバスなどを含み得る。この実施形態では、明確な説明のために、様々なバスが図９のシステムバス６３によって表されている。
【０２１７】
トランシーバ６１は具体的には、制御プレーンノード上のトランシーバであってもよい。トランシーバは、無線トランシーバであってもよい。例えば、無線トランシーバは、制御プレーンノードのアンテナであってもよい。プロセッサ６０は、トランシーバ６１を用いて、ＵＥや制御プレーンノードなどの別のノードとの間でデータの送受信を行う。
【０２１８】
具体的な実装プロセスでは、上述の方法の実施形態に示された方法手順における制御プレーンノードに対応するすべてのステップは、ハードウェアの形態のプロセッサ６０が、ソフトウェアの形態であり、メモリ６２に格納されているコンピュータ実行可能命令を実行する方法で実装され得る。繰り返しを避けるために、詳細は本明細書では再度説明しない。
【０２１９】
本発明のこの実施形態は、制御プレーンノードを提供する。制御プレーンノードは、ＵＥが属するネットワークスライスを正確に示す指示情報をＵＥに送信してもよい。したがって、ＵＥが指示情報を無線アクセスネットワークノードに送信した後、無線アクセスネットワークノードは、指示情報に基づきＵＥに対して、ＵＥが属するネットワークスライスに対応する制御プレーンノードを判定してよく、それにより、制御プレーンノードは、ＵＥに対してカスタマイズされたサービスを確実に提供することができる。
【０２２０】
本発明の実施形態は、無線通信システムを提供する。無線通信システムは、ＵＥ、無線アクセスネットワークノード、および制御プレーンノードを含む。例えば、図２に示すように、図２は、本発明の実施形態による無線通信システムの概略的なアーキテクチャ図である。ＵＥは、図４または図７に示すＵＥであってもよく、無線アクセスネットワークノードは、図５または図８に示すＵＥであってもよく、制御プレーンノードは、図６または図９に示す制御プレーンノードであってもよい。
【０２２１】
本発明のこの実施形態におけるＵＥの詳細な説明については、図４または図７に示す実施形態におけるＵＥの関連説明を参照されたい。無線アクセスネットワークノードの詳細な説明については、図５または図８に示す実施形態における無線アクセスネットワークノードの関連説明を参照されたい。制御プレーンノードの詳細な説明については、図６または図９に示す実施形態における制御プレーンノードの関連説明を参照されたい。詳細は本明細書では再度説明しない。
【０２２２】
本発明のこの実施形態で提供される無線通信システムにおいて、制御プレーンノードは、ＵＥが属するネットワークスライスを示すために使用される指示情報を取得し、指示情報をＵＥに送信する。ＵＥが指示情報を取得した後、ＵＥは、指示情報をアクセス層要求メッセージを使用して無線アクセスネットワークノードに送信してもよく、無線アクセスネットワークノードは、指示情報に基づきＵＥに対して、ＵＥが属するネットワークスライスに対応する制御プレーンノードを判定する。
【０２２３】
前述の技術的解決策に基づいて、ＵＥに対する制御プレーンノードを判定するために無線アクセスネットワークノードによって使用される指示情報は、ＵＥが属するネットワークスライスを正確に示し得る。したがって、無線アクセスネットワークノードは、指示情報に基づきＵＥに対して、ＵＥが属するネットワークスライスに対応する制御プレーンノードを判定してよく、それにより、制御プレーンノードはＵＥに対してカスタマイズされたサービスを確実に提供できる。
【０２２４】
実装についての前述の説明は、前述の機能モジュールの分割が、簡潔で簡単な説明のために、例示用の例として取り上げられていることを当業者に理解させることができる。実際のアプリケーションでは、上述の機能を異なるモジュールに割り当てて要件に応じて実装されることができ、すなわち、装置の内部構造を異なる機能モジュールに分割して上述した機能のすべてまたは一部を実現する。前述のシステム、装置、およびユニットの詳細な作業プロセスについては、前述の方法の実施形態における対応するプロセスを参照してよく、詳細は本明細書では説明しない。
【０２２５】
本出願で提供されるいくつかの実施形態において、開示されたシステム、装置、および方法は、他の方法で実施され得ることを理解されたい。例えば、説明された装置の実施形態は一例に過ぎない。例えば、モジュールまたはユニット分割は論理的な機能分割のみであり、実際の実装では他の分割であってもよい。例えば、複数のユニットまたは構成要素を別のシステムに組み合わせまたは統合してもよいし、一部の機能を無視してもよいし、実行しなくてもよい。さらに、表示された、または議論された相互結合または直接結合または通信接続は、いくつかのインタフェースを使用することによって実装されてもよい。装置またはユニット間の間接的結合または通信接続は、電子的、機械的または他の形態で実施されてもよい。
【０２２６】
別個の部品として記載されたユニットは、物理的に分離していてもいなくてもよく、ユニットとして表示されている部品は物理ユニットであってもなくてもよく、１つの位置に配置されてもよいし、複数のネットワークユニットに分配されてもよい。ユニットの一部または全部は、実施形態の解決策の目的を達成するために実際の必要性に応じて選択されてもよい。
【０２２７】
また、本発明の実施形態における機能部は、１つの処理部に統合されていてもよいし、物理的に単独で存在していてもよいし、２つ以上のユニットが１つのユニットに一体化されてもよい。統合ユニットは、ハードウェアの形態で実装されてもよく、ソフトウェア機能部の形態で実装されてもよい。
【０２２８】
統合ユニットがソフトウェア機能ユニットの形態で実装され、独立した製品として販売または使用される場合、統合ユニットはコンピュータ可読記憶媒体に格納されてもよい。そのような理解に基づいて、本質的に本発明の技術的解決策、または先行技術に寄与する部分、または技術的解決策のすべてまたはいくつかは、ソフトウェア製品の形態で実施されてもよい。ソフトウェア製品は、記憶媒体に格納され、コンピュータ装置（パーソナルコンピュータ、サーバ、またはネットワーク装置とし得る）またはプロセッサに、本発明の実施形態において記載された方法のステップのすべてまたは一部を実行するよう指示するためのいくつかの命令を含む。前述の記憶媒体は、ＵＳＢフラッシュドライブ、リムーバブルハードディスク、ＲＯＭ、ＲＡＭ、磁気ディスク、または光ディスクなどの、プログラムコードを格納することができる任意の媒体を含む。
【０２２９】
本説明は、本発明の特定の実施例に過ぎず、本発明の保護範囲を限定するように意図されたものではない。本発明で開示された技術的範囲内において、当業者により容易に想到される任意の変更または代替は、本発明の保護範囲内に入るものである。従って、本発明の保護範囲は、特許請求の範囲の保護範囲に属するものとする。
【図１】
2020102882.tif 000008
【図２】
2020102882.tif 000009
【図３】
2020102882.tif 000010
【図４】
2020102882.tif 000011
【図５】
2020102882.tif 000012
【図６】
2020102882.tif 000013
【図７】
2020102882.tif 000014
【図８】
2020102882.tif 000015
【図９】
2020102882.tif 000016
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
無線通信のための方法であって、
第１の制御プレーンノードによって、端末からの要求メッセージを受信するステップと、
前記第１の制御プレーンノードによって、前記端末に、ネットワークスライスを示す指示情報を送信するステップであって、前記ネットワークスライスは、前記端末の加入データにおけるサービスタイプに関連付けられる、ステップと、
無線アクセスネットワークノードによって、前記端末からのアクセス層メッセージを受信するステップであって、前記アクセス層メッセージは、前記ネットワークスライスを示す前記指示情報を含む、ステップと、
前記無線アクセスネットワークノードによって、前記指示情報に基づいて、前記端末のネットワークスライスに対応する第２の制御プレーンノードを判定するステップと
を含む、方法。
【請求項２】
前記第１の制御プレーンノードおよび前記ネットワークスライスに対応する前記第２の制御プレーンノードは同一である、請求項１に記載の方法。
【請求項３】
前記第１の制御プレーンノードによって、端末からの要求メッセージを受信するステップは、
前記第１の制御プレーンノードによって、前記端末からの非アクセス層メッセージを受信するステップであって、前記非アクセス層メッセージは、前記端末の識別子を含む、ステップを含み、
前記方法は、
前記第１の制御プレーンノードによって、前記端末の前記識別子に基づいて前記端末の加入データを取得するステップと、
前記第１の制御プレーンノードによって、前記端末の前記加入データに基づいて前記指示情報を判定するステップと
をさらに含む、請求項１または２に記載の方法。
【請求項４】
前記第１の制御プレーンノードによって、前記端末の加入データに基づいて前記指示情報を判定するステップは、前記第１の制御プレーンノードによって、前記端末の加入データにおけるユーザ機器（ＵＥ）の前記サービスタイプに基づいて前記指示情報を判定することを含む、請求項３に記載の方法。
【請求項５】
前記端末によって、前記第１の制御プレーンノードから前記指示情報を取得するステップと、
前記端末によって、前記指示情報を含む前記アクセス層メッセージを無線アクセスネットワークノードに送信するステップと
をさらに含む、請求項１から４のいずれか一項に記載の方法。
【請求項６】
前記指示情報は、前記ネットワークスライスの識別子または前記ネットワークスライスの識別子を示すための識別子情報である、請求項１から５のいずれか一項に記載の方法。
【請求項７】
無線アクセスネットワークノードと１つまたは複数の制御プレーンノードを備えたシステムであって、
前記１つまたは複数の制御ノードの第１の制御プレーンノードは、端末から要求メッセージを受信し、前記要求メッセージに応じて、ネットワークスライスを示す指示情報を前記端末に送信し、前記ネットワークスライスは、前記端末の加入データにおけるサービスタイプに関連付けられるように構成され、
前記無線アクセスネットワークノードは、
前記端末から、前記指示情報を含むアクセス層メッセージを受信し、前記指示情報に基づいて、前記端末のネットワークスライスに対応する第２の制御プレーンノードを判定するように設定される、システム。
【請求項８】
前記第１の制御プレーンノードおよび前記ネットワークスライスに対応する前記第２の制御プレーンノードは同一である、請求項７に記載のシステム。
【請求項９】
前記要求メッセージは非アクセス層メッセージであり、前記第１の制御プレーンノードは、
前記端末から前記非アクセス層メッセージを受信し、前記非アクセス層メッセージは前記端末の識別子を含み、
前記端末の前記識別子に基づいて前記端末の前記加入データを取得し、
前記端末の前記加入データに基づいて前記指示情報を判定する
ように構成される、請求項７または８に記載のシステム。
【請求項１０】
前記端末をさらに備え、前記端末は、前記第１の制御プレーンノードから前記指示情報を受信し、前記指示情報を含む前記アクセス層メッセージを前記無線アクセスネットワークノードに送信するように構成される、請求項７から９のいずれか一項に記載のシステム。
【請求項１１】
前記無線アクセスネットワークノードは、
前記指示情報および第１のマッピング関係に基づいて、前記ネットワークスライスに対応する前記第２の制御プレーンノードを判定するように構成され、
前記第１のマッピング関係は、前記ネットワークスライスと前記第２の制御プレーンノードとの間のマッピング関係を含む、請求項７から１０のいずれか一項に記載のシステム。
【請求項１２】
前記指示情報は、前記ネットワークスライスの識別子または前記ネットワークスライスの前記識別子を示す識別子情報である、請求項７から１１のいずれか一項に記載のシステム。
【請求項１３】
無線通信のための方法であって、
端末によって、要求メッセージを第１の制御プレーンノードに送信するステップと、
前記端末によって、前記第１の制御プレーンノードからネットワークスライスを示す指示情報を受信するステップであって、前記ネットワークスライスは、前記端末の加入データにおけるサービスタイプに関連付けられる、ステップと、
前記端末によって、アクセス層メッセージを無線アクセスネットワークノードに送信し、前記アクセス層メッセージは前記指示情報を含む、ステップと
を含む、方法。
【請求項１４】
前記指示情報は、前記無線アクセスネットワークノードが前記端末の前記ネットワークスライスに対応する第２の制御プレーンノードを選択できるようにするために使用される、請求項１３に記載の方法。
【請求項１５】
前記第１の制御プレーンノードへの前記要求メッセージは、非アクセス層メッセージであり、前記非アクセス層メッセージは、前記端末の識別子を含む、請求項１３または１４に記載の方法。
【請求項１６】
前記第１の制御プレーンノードおよび前記ネットワークスライスに対応する前記第２の制御プレーンノードは同一である、請求項１４に記載の方法。
【請求項１７】
前記指示情報は、前記端末の前記加入データにおける前記サービスタイプに基づいて前記第１の制御プレーンノードによって判定される、請求項１３から１５のいずれか一項に記載の方法。
【請求項１８】
前記指示情報は、前記ネットワークスライスの識別子または前記ネットワークスライスの前記識別子を示すための識別子情報である、請求項１３から１７のいずれか一項に記載の方法。
【請求項１９】
前記アクセス層メッセージは、無線リソース制御（ＲＲＣ）接続メッセージである、請求項１３から１８のいずれか一項に記載の方法。
【請求項２０】
メモリと、前記メモリに結合された少なくとも１つのプロセッサとを備えた装置であって、前記少なくとも１つのプロセッサは、前記メモリに格納された命令を実行して、前記装置に請求項１３から１９のいずれか一項に記載の方法を実行させるように構成される、装置。
【請求項２１】
第１の制御プレーンノードに要求メッセージを送信する手段と、
前記第１の制御プレーンノードからネットワークスライスを示す指示情報を受信する手段であって、前記ネットワークスライスは、端末の加入データにおけるサービスタイプに関連付けられる、手段と、
アクセス層メッセージを無線アクセスネットワークノードに送信するための手段であって、前記アクセス層メッセージは指示情報を含む、手段と
を備えた装置。
【請求項２２】
前記指示情報は、前記無線アクセスネットワークノードが前記端末の前記ネットワークスライスに対応する第２の制御プレーンノードを選択できるようにするために使用される、請求項２１に記載の装置。
【請求項２３】
前記第１の制御プレーンノードへの前記要求メッセージは、非アクセス層メッセージであり、前記非アクセス層メッセージは、前記端末の識別子を備える、請求項２１または２２に記載の装置。
【請求項２４】
前記第１の制御プレーンノードおよび前記ネットワークスライスに対応する前記第２の制御プレーンノードは同一である、請求項２２に記載の装置。
【請求項２５】
前記指示情報は、前記端末の前記加入データにおける前記サービスタイプに基づいて、前記第１の制御プレーンノードによって判定される、請求項２０から２３のいずれか一項に記載の装置。
【請求項２６】
前記指示情報は、前記ネットワークスライスの識別子または前記ネットワークスライスの前記識別子を示すための識別子情報である、請求項２１から２５のいずれか一項に記載の装置。
【請求項２７】
前記アクセス層メッセージは、無線リソース制御（ＲＲＣ）接続メッセージである、請求項２１から２５のいずれか一項に記載の装置。
【請求項２８】
記憶されたプログラムを有するコンピュータ可読記憶媒体であって、前記プログラムは請求項１から６、１３から１９のいずれかに記載の方法を実行するための命令を含む、コンピュータ可読記憶媒体。
【請求項２９】
コンピュータユニットにより実行されたとき、前記コンピュータユニットに、請求項１から６、１３から１９のいずれか一項に記載の方法を実行させるコンピュータプログラムコードを含む、コンピュータプログラム。
【手続補正２】
【補正対象書類名】明細書
【補正対象項目名】００６７
【補正方法】変更
【補正の内容】
【００６７】
ＵＥは無線端末であってもよい。無線端末は、ユーザのための音声および／またはデータ接続を提供するデバイス、無線接続機能を有するハンドヘルドデバイス、または無線モデムに接続された別の処理デバイスであってもよい。無線端末は、無線アクセスネットワーク（英語：Ｒａｄｉｏ  Ａｃｃｅｓｓ  Ｎｅｔｗｏｒｋ、略してＲＡＮ）を使用することにより、１つまたは複数のコアネットワークと通信し得る。無線端末は、携帯電話（「セルラ」電話とも称す）などのモバイル端末、または携帯端末を備えたコンピュータ、例えば、無線アクセスネットワークと音声および／またはデータを交換する携帯型でポケットサイズのハンドヘルド型のコンピュータ内蔵型、または車載型移動装置であってもよい。例えば、無線端末は、パーソナル通信サービス（英語：ｐｅｒｓｏｎａｌ  ｃｏｍｍｕｎｉｃａｔｉｏｎｓ  ｓｅｒｖｉｃｅ、略してＰＣＳ）電話、コードレス電話機、セッション開始プロトコル（英語：Ｓｅｓｓｉｏｎ  Ｉｎｉｔｉａｔｉｏｎ  Ｐｒｏｔｏｃｏｌ、略してＳＩＰ）電話、無線ローカルループ（英語：ｗｉｒｅｌｅｓｓ  ｌｏｃａｌ  ｌｏｏｐ、略してＷＬＬL）局、または携帯情報端末（英語：ｐｅｒｓｏｎａｌ  ｄｉｇｉｔａｌ  ａｓｓｉｓｔａｎｔ、略してＰＤＡ）であってもよい。無線端末はまた、システム、加入者ユニット（英語：ｓｕｂｓｃｒｉｂｅｒ  ｕｎｉｔ）、加入者局（英語：ｓｕｂｓｃｒｉｂｅｒ  ｓｔａｔｉｏｎ）、移動局（英語：ｍｏｂｉｌｅ  ｓｔａｔｉｏｎ）、モバイル端末（英語：ｍｏｂｉｌｅ  ｔｅｒｍｉｎａｌ）、遠隔局（英語：ｒｅｍｏｔｅ  ｓｔａｔｉｏｎ）、アクセスポイント（英語：ａｃｃｅｓｓ  ｐｏｉｎｔ）、遠隔端末（英語：ｒｅｍｏｔｅ  ｔｅｒｍｉｎａｌ）、アクセス端末（英語：ａｃｃｅｓｓ  ｔｅｒｍｉｎａｌ）、ユーザ端末（英語：ｕｓｅｒ  ｔｅｒｍｉｎａｌ）、ユーザエージェント（英語：ｕｓｅｒ  ａｇｅｎｔ）、ユーザ機器（英語：ｕｓｅｒ  ｅｑｕｉｐｍｅｎｔ）等とも呼ばれる。
【外国語明細書】
2020102882000001.pdf